(57)【特許請求の範囲】
【請求項１】
記録媒体であるディスクと係合してディスクを回転させるディスク回転手段と、
前記ディスク回転手段を支持し、前記ディスク回転手段をディスクの移動経路に進出させ、ディスクと係合させる係合方向、および前記ディスク回転手段をディスクの移動経路から退行させ、ディスクとの係合を解除させる係合解除方向へ移動可能な回転手段支持部材と、
前記ディスクを保持可能なディスク保持手段とを備え、
前記ディスク保持手段は、
前記回転手段支持部材を前記係合方向へ付勢する付勢手段と、
前記ディスクを保持可能であり、装置内方および装置外方へ進退移動可能なディスク保持部材とを備え、
前記ディスク保持部材は、装置内方へ移動する際に前記回転手段支持部材を前記付勢手段の付勢力により前記係合方向へ移動させる一方、装置外方へ移動する際に前記付勢手段の付勢力に抗して前記回転手段支持部材を前記係合解除方向へ移動させることを特徴とするディスクドライブ装置。
【請求項２】
記録媒体であるディスクと係合してディスクを回転させるディスク回転手段と、
前記ディスク回転手段を支持し、前記ディスク回転手段をディスクの移動経路に進出させ、ディスクと係合させる係合方向、および前記ディスク回転手段をディスクの移動経路から退行させ、ディスクとの係合を解除させる係合解除方向へ移動可能な回転手段支持部材と、
前記ディスクを保持可能であるとともに、装置内方および装置外方へ進退移動可能であり、前記回転手段支持部材との係合動作により、装置内方へ移動する際に前記回転手段支持部材を前記係合方向へ移動させる一方、装置外方へ移動する際に前記回転手段支持部材を前記係合解除方向へ移動させるディスク保持手段とを備えており、
前記ディスクがディスクケースに収納されており、
前記ディスクケースと係合してディスクを位置決めするとともに、ディスクケースの移動経路に進出し、前記ディスクケースと係合するための位置決め動作方向、およびディスクケースの移動経路から退行し、前記ディスクケースとの係合を解除する位置決め動作解除方向へ移動可能な位置決め部材を備え、
前記ディスク保持手段が、
前記位置決め部材を前記位置決め動作方向へ付勢する付勢手段と、
前記ディスクを保持可能であり、装置内方および装置外方へ進退移動可能なディスク保持部材とを備え、
前記ディスク保持部材は、前記位置決め部材との係合動作により、装置内方へ移動する際に前記付勢手段の付勢力により前記位置決め部材を前記位置決め動作方向へ移動させる一方、装置外方へ移動する際に前記付勢手段の付勢力に抗して前記位置決め部材を前記位置決め動作解除方向へ移動させるものであることを特徴とするディスクドライブ装置。
【請求項３】
記録媒体であるディスクと係合してディスクを回転させるディスク回転手段と、
前記ディスク回転手段を支持し、前記ディスク回転手段をディスクの移動経路に進出させ、ディスクと係合させる係合方向、および前記ディスク回転手段をディスクの移動経路から退行させ、ディスクとの係合を解除させる係合解除方向へ移動可能な回転手段支持部材と、
前記ディスクを保持可能であるとともに、装置内方および装置外方へ進退移動可能であり、前記回転手段支持部材との係合動作により、装置内方へ移動する際に前記回転手段支持部材を前記係合方向へ移動させる一方、装置外方へ移動する際に前記回転手段支持部材を前記係合解除方向へ移動させるディスク保持手段とを備えており、
前記回転手段支持部材には、前記ディスク保持手段の前記進退移動方向に平行な平坦面と、この平坦面と連続し、斜め前記係合解除方向へ傾斜する傾斜面とが前記ディスク保持手段の進退移動方向に並んで形成され、
前記ディスク保持手段が、前記回転手段支持部材を前記係合方向へ付勢する付勢手段と、前記ディスクを保持可能であり、前記進退移動の際に前記回転手段支持部材の平坦面および傾斜面と摺接する摺接部を有するディスク保持部材とを備え、
前記ディスク保持部材が装置内方へ移動する際に前記摺接部が前記平坦面、前記傾斜面の順序で摺接する一方、前記ディスク保持部材が装置外方へ移動する際に前記摺接部が前記傾斜面、前記平坦面の順序で摺接し、前記ディスク保持部材が装置内方へ移動する際には、前記摺接部が前記傾斜面と摺接することにより、前記回転手段支持部材を前記付勢手段の付勢力により前記係合方向へ移動させ、前記ディスク保持部材が装置外方へ移動する際には、前記摺接部が前記傾斜面と摺接することにより、前記回転手段支持部材を前記付勢手段の付勢力に抗して係合解除方向へ移動させ、前記摺接部が前記平坦面を移動する際には、前記ディスク回転手段をディスクの移動経路外への退避状態に保持するように設定されていることを特徴とするディスクドライブ装置。
【請求項４】
基台と、ディスク保持部材付勢手段とを備え、
前記ディスクがディスクケースに収納されており、
前記ディスク保持手段が、前記ディスクを保持可能であるとともに前記進退移動を行うディスク保持部材を有し、
前記基台が、前記ディスク保持部材を前記進退移動可能に支持するとともに、
ディスク保持部材に保持されたディスクケースとの対向面に圧接受け部を有し、
前記ディスク保持部材付勢手段が、前記ディスク保持部材を装置内方への移動方向に付勢するものであり、
前記保持部材と前記基台との何れか一方には第１案内部が形成され、他方には前記第１案内部と係合し、前記ディスク保持部材を装置内方に案内する第２案内部が形成され、
前記第２案内部の装置内方側の終端部には、前記ディスク保持部材を前記基台の圧接受け部方向に案内する圧接案内部が形成されていることを特徴とする請求項３に記載のディスクドライブ装置。
【請求項５】
前記ディスク保持部材の摺接部と前記回転手段支持部材の平坦面および傾斜面との対が、少なくとも第１の対と第２の対との２対設けられ、装置外方への前記ディスク保持部材の移動に伴い、前記摺接部が前記傾斜面と摺接して前記回転手段支持部材が係合解除方向へ移動を開始する時点が、第１の対の側と第２の対の側とで異なるように設定されていることを特徴とする請求項３に記載のディスクドライブ装置。
【請求項６】
記録媒体であるディスクと係合してディスクを回転させるディスク回転手段と、
前記ディスク回転手段を支持し、前記ディスク回転手段をディスクの移動経路に進出させ、ディスクと係合させる係合方向、および前記ディスク回転手段をディスクの移動経路から退行させ、ディスクとの係合を解除させる係合解除方向へ移動可能な回転手段支持部材と、
前記ディスクを保持可能であるとともに、装置内方および装置外方へ進退移動可能であり、前記回転手段支持部材との係合動作により、装置内方へ移動する際に前記回転手段支持部材を前記係合方向へ移動させる一方、装置外方へ移動する際に前記回転手段支持部材を前記係合解除方向へ移動させるディスク保持手段とを備えており、
前記ディスクがディスクケースに収納されており、
前記ディスクケースと係合してディスクを位置決めするとともに、ディスクケースの移動経路に進出し、前記ディスクケースと係合するための位置決め動作方向、およびディスクケースの移動経路から退行し、前記ディスクケースとの係合を解除する位置決め動作解除方向へ移動可能な位置決め部材を備え、
前記ディスク保持手段は、前記位置決め部材との係合動作により、装置内方へ移動する際に前記位置決め部材を前記位置決め動作方向へ移動させる一方、装置外方へ移動する際に前記位置決め部材を前記位置決め動作解除方向へ移動させるものであり、
前記位置決め部材には、前記ディスク保持手段の前記進退移動方向に平行な平坦面と、この平坦面と連続し、斜め前記位置決め動作解除方向へ傾斜する傾斜面とが前記ディスク保持手段の進退移動方向に並んで形成され、
前記ディスク保持手段が、前記位置決め部材を前記位置決め動作方向へ付勢する付勢手段と、前記ディスクを保持可能であり、前記進退移動の際に前記位置決め部材の平坦面および傾斜面と摺接する摺接部を有するディスク保持部材とを備え、
前記ディスク保持部材が装置内方へ移動する際に前記摺接部が前記平坦面、前記傾斜面の順序で摺接する一方、前記ディスク保持部材が装置外方へ移動する際に前記摺接部が前記傾斜面、前記平坦面の順序で摺接し、前記ディスク保持部材が装置内方へ移動する際には、前記摺接部が前記傾斜面と摺接することにより、前記位置決め部材を前記付勢手段の付勢力により前記位置決め動作方向へ移動させ、前記ディスク保持部材が装置外方へ移動する際には、前記摺接部が前記傾斜面と摺接することにより、前記位置決め部材を前記付勢手段の付勢力に抗して位置決め動作解除方向へ移動させ、前記摺接部が前記平坦面を移動する際には、前記位置決め部材をディスクケースの移動経路外への退避状態に保持するように設定されていることを特徴とするディスクドライブ装置。
【請求項７】
基台と、シャッター開閉部材と、このシャッター開閉部材を装置内方へ付勢する開閉部材付勢手段とを備え、
前記ディスクがディスクケースに収納され、このディスクケースには内部のディスクを露出させるための窓を開閉するシャッターが設けられ、
前記ディスク保持手段が、前記ディスクを保持可能であるとともに前記進退移動を行うディスク保持部材を有し、
前記シャッター開閉部材が、前記ディスク保持部材の前記進退移動方向において所定範囲のみ相対的に進退移動可能に前記ディスク保持部材により支持されるとともに、装置内方への前記ディスクケースの移動に伴って前記シャッターと係合してシャッターを開放するためのシャッター開放部を有し、
前記基台が、前記ディスク保持部材を前記進退移動可能に支持するとともに、シャッター開閉部材によりシャッターが開放される開放位置にてシャッター開閉部材と係合する係止部を有し、
前記開放位置において前記ディスク保持部材の摺接部が前記傾斜面と係合可能であり、
前記開放位置よりも装置内方側に、前記ディスク回転手段によるディスクの回転を可能とするローディング完了位置が設けられていることを特徴とする請求項３または６に記載のディスクドライブ装置。
【請求項８】
記録媒体であるディスクと係合してディスクを回転させるディスク回転手段と、
前記ディスク回転手段を支持し、前記ディスク回転手段をディスクの移動経路に進出させ、ディスクと係合させる係合方向、および前記ディスク回転手段をディスクの移動経路から退行させ、ディスクとの係合を解除させる係合解除方向へ移動可能な回転手段支持部材と、
前記ディスクを保持可能であるとともに、装置内方および装置外方へ進退移動可能であり、前記回転手段支持部材との係合動作により、装置内方へ移動する際に前記回転手段支持部材を前記係合方向へ移動させる一方、装置外方へ移動する際に前記回転手段支持部材を前記係合解除方向へ移動させるディスク保持手段とを備えており、
基台と、ディスク保持部材付勢手段とを備え、
前記ディスクがディスクケースに収納されており、
前記ディスク保持手段が、前記ディスクを保持可能であるとともに前記進退移動を行うディスク保持部材を有し、
前記基台が、前記ディスク保持部材を前記進退移動可能に支持するとともに、
ディスク保持部材に保持されたディスクケースとの対向面に圧接受け部を有し、
前記ディスク保持部材付勢手段が、前記ディスク保持部材を装置内方への移動方向に付勢するものであり、
前記保持部材と前記基台との何れか一方には第１案内部が形成され、他方には前記第１案内部と係合し、前記ディスク保持部材を装置内方に案内する第２案内部が形成され、
前記第２案内部の装置内方側の終端部には、前記ディスク保持部材を前記基台の圧接受け部方向に案内する圧接案内部が形成されていることを特徴とするディスクドライブ装置。
【発明の詳細な説明】
【０００１】
【発明の属する技術分野】
本発明は記録媒体であるディスクを着脱可能であり、装着されたディスクを回転駆動するディスクドライブ装置に関するものである。
【０００２】
【従来の技術】
近年、情報を記録するための記録媒体として、ＭＤ（Mini Disk ）やＭＯ（Magneto Optical ）ディスク等、保護ケースであるカートリッジケースに収納されたディスク状の記録媒体が使用されている。このようなディスクを情報の記録再生位置に装着する方式としては、例えば装置前面の着脱位置から装置内にカートリッジケースを挿入するフロントローディング方式が一般的である。
【０００３】
このフロントローディング方式では、着脱位置から装置内に挿入されたカートリッジケース内に、ディスクを回転させるためのディスク回転駆動機構、即ちターンテーブルを入り込ませるようになっている。したがってこの方式では、例えば、挿入されたカートリッジケースを装置内部において水平に移動させた後に上下方向に移動させるというローディング経路を採用している。しかしながら、このような方式では、カートリッジケースを装置内部において上下方向に移動させるスペースが必要となるため、装置の厚さが厚くなることを回避できない。
【０００４】
そこで、特開平７−９３９４９号に開示されている装置では、装置内において、ディスクを収納したカートリッジケースの移動方向を水平方向のみとし、装置の薄型化を図っている。即ち、カートリッジケースが着脱位置から装置内に挿入される際に、モーター等からなるディスクの回転駆動機構を上下方向に移動させてカートリッジケースの移動経路外へ退避させ、カートリッジケースの移動終了後にディスクにディスク回転駆動機構を係合させるようにしている。
【０００５】
この方式では、ディスク回転駆動機構を上下方向に移動させる範囲がカートリッジケースを上下方向に移動させる範囲と比べて少ない分、前記の方式と比較して装置の省スペース化が図れ、装置の薄型化および小型化が可能となっている。
【０００６】
ここで、ディスク回転駆動機構を移動させる上記方式のディスクドライブ装置を図２７および図２８により詳細に説明する。
【０００７】
図２７に示すように、カートリッジケース１０１の内部にはディスク１０２が収納され、このディスク１０２のハブ１０３にスピンドルモータ１０４の回転ピン１０５が嵌合される。上記スピンドルモータ１０４は可動プレート１０６に固定されている。この可動プレート１０６は、カートリッジケース１０１を受けるフレーム体１０７の下方に設けられ、その右端部（図中）の歯車部１０８が軸１０９により回転可能に支持されている。上記歯車部１０８には駆動モータ１１０に設けられた駆動歯車１１１が歯合している。したがって、可動プレート１０６は駆動モータ１１０により軸１０９を中心として回転駆動される。
【０００８】
可動プレート１０６にはレール受座１１２が突設され、このレール受座１１２により、ピックアップ１１４をディスク１０２の径方向に移動可能に支持するレール１１３の両端部が支持されている。ピックアップ１１４は、ディスク１０２に対して光ビームを出射して情報の記録、再生を行うための対物レンズ１１５等を有する光学系等、周知の構成を備えている。
【０００９】
一方、フレーム体１０７は、前記レール受座１１２に対向するレール受座１１６と、このレール受座１１６の近傍に垂下状に設けられた保持部材１１７とを有している。上記保持部材１１７は、ゴム等の緩衝部材にて形成され、レール１１３が挿入されるレール受孔１１８を有している。
【００１０】
図２７はカートリッジケース１０１の記録再生位置でのセット状態（ローディング状態）を示している。この状態では、可動プレート１０６が水平位置に保持され、スピンドルモータ１０４の回転ピン１０５とディスク１０２のハブ１０３とが嵌合してディスク１０２の回転中心が定まり、ピックアップ１１４がカートリッジケース１０１の窓１０１ａに入ってディスク１０２の径方向に移動可能であり、情報の記録再生が可能となっている。
【００１１】
また、図２８はカートリッジケース１０１の着脱状態（アンローディング状態）を示している。この状態では、可動プレート１０６が、上記の水平状態から、駆動モータ１１０に駆動されて反時計方向に回動し、フレーム体１０７から離れる方向へ移動する。したがって、スピンドルモータ１０４の回転ピン１０５とディスク１０２のハブ１０３との嵌合が解除され、カートリッジケース１０１の排出方向および挿入方向への移動が可能となる。
【００１２】
【発明が解決しようとする課題】
ところが、前記従来のディスクドライブ装置では、スピンドルモータ１０４を上下方向に移動させるのに専用の駆動モータ１１０を使用するため、装置のコストアップを招来している。
【００１３】
また、上記駆動モータ１１０の駆動／停止を行うためのスイッチ、駆動モータ１１０の駆動歯車１１１等の駆動力の伝達系、および駆動モータ１１０とスイッチとを接続する配線等が必要となり、装置が大型化し、更なるコストアップを招来するという問題を有している。
【００１４】
さらに、近年では、ＭＤ（Mini Disk ）等、図２７に示したように、情報を記録するための記録媒体として、記録媒体本体であるディスクがカートリッジケースに収納されているものが多用されている。このＭＤ等のカートリッジケースには、カートリッジケースとディスクとの位置ずれを防ぐために、本発明の実施の形態の説明図である図５（ａ）〜（ｃ）に示すように、位置決め凹部５１ｅ・５１ｆが形成されている。この位置決め凹部５１ｅ・５１ｆに装置内の位置決めピンが挿入され、カートリッジケースが装置内で位置決めされる。即ち、装置内で、この位置決めピンとスピンドルモータとの位置精度を保つことでカートリッジケースとディスクとのズレを防止することとなる。
【００１５】
しかしながら、前記位置決めピンはカートリッジケースの位置決め凹部５１ｅ・５１ｆに挿入されるために、カートリッジケースが装置内に挿入されるとき、または装置外へ排出されるときに、この動作の障害となる。
【００１６】
また、上記位置決めピンは、上記位置決め凹部５１ｅ・５１ｆに対応して、カートリッジケースの前後２箇所に必要なため、上記位置決めピンをも例えば前記の駆動モータ１１０にて昇降させようとすると、駆動モータ１１０の駆動力を位置決めピンに伝達する部材と位置決めピンを昇降させる部材とが装置前後に必要となるため、さらなる装置の大型化を招くという問題を招来する。
【００１７】
【課題を解決するための手段】
上記の課題を解決するために、本発明の第１ディスクドライブ装置は、記録媒体であるディスクと係合してディスクを回転させるディスク回転手段と、前記ディスク回転手段を支持し、前記ディスク回転手段をディスクの移動経路に進出させ、ディスクと係合させる係合方向、および前記ディスク回転手段をディスクの移動経路から退行させ、ディスクとの係合を解除させる係合解除方向へ移動可能な回転手段支持部材と、前記ディスクを保持可能であるとともに、装置内方および装置外方へ進退移動可能であり、前記回転手段支持部材との係合動作により、装置内方へ移動する際に前記回転手段支持部材を前記係合方向へ移動させる一方、装置外方へ移動する際に前記回転手段支持部材を前記係合解除方向へ移動させるディスク保持手段とを備えていることを特徴としている。
【００１８】
第１ディスクドライブ装置の構成によれば、ディスク保持手段が装置内方へ移動する際には、このディスク保持手段と回転手段支持部材との係合動作により、回転手段支持部材が係合方向へ移動する。これにより、回転手段支持部材にて支持されたディスク回転手段がディスクの移動経路に進出し、ディスク保持手段に保持されたディスクと係合する。したがって、ディスク回転手段によるディスクの回転が可能となる。
【００１９】
一方、ディスク保持手段が装置外方へ移動する際には、このディスク保持手段と回転手段支持部材との係合動作により、回転手段支持部材が係合解除方向へ移動する。これにより、ディスク回転手段がディスクの移動経路から退行してディスクとの係合を解除する。したがって、この状態においては、装置内方および装置外方へのディスクの移動が可能となる。
【００２０】
本ディスクドライブ装置では、ディスク回転手段をディスクの移動経路に対して進退移動させることにより、ディスクに対してディスク回転手段を係合させた状態、即ちディスクを回転可能な状態と、ディスクに対するディスク回転手段の係合を解除した状態とを得るようにしている。したがって、ディスクを装置の内方および外方へ進退移動、例えば水平移動させ、かつディスクをディスク回転手段方向に進退移動、例えば垂直移動させる場合と比較して、ディスクとディスク回転手段とを係脱動作するための駆動機構の体積を縮小し、装置の薄型化を図ることができる。
【００２１】
また、上記ディスク回転手段の係合方向および係合解除方向への移動を、ディスク回転手段を支持する回転手段支持部材とディスク保持手段との係合動作により行っているので、ディスク回転手段を上記のように移動させる駆動源、例えばモータが不要となり、装置のコストダウンを図ることができる。
【００２２】
本発明の第２ディスクドライブ装置は、第１ディスクドライブ装置において、前記回転手段支持部材に、前記ディスク保持手段の前記進退移動方向に平行な平坦面と、この平坦面と連続し、斜め前記係合解除方向へ傾斜する傾斜面とが前記ディスク保持手段の進退移動方向に並んで形成され、前記ディスク保持手段が、前記回転手段支持部材を前記係合方向へ付勢する付勢手段と、前記ディスクを保持可能であり、前記進退移動の際に前記回転手段支持部材の平坦面および傾斜面と摺接する摺接部を有するディスク保持部材とを備え、前記ディスク保持部材が装置内方へ移動する際に前記摺接部が前記平坦面、前記傾斜面の順序で摺接する一方、前記ディスク保持部材が装置外方へ移動する際に前記摺接部が前記傾斜面、前記平坦面の順序で摺接し、前記ディスク保持部材が装置内方へ移動する際には、前記摺接部が前記傾斜面と摺接することにより、前記回転手段支持部材を前記付勢手段の付勢力により前記係合方向へ移動させ、前記ディスク保持部材が装置外方へ移動する際には、前記摺接部が前記傾斜面と摺接することにより、前記回転手段支持部材を前記付勢手段の付勢力に抗して係合解除方向へ移動させ、前記摺接部が前記平坦面を移動する際には、前記ディスク回転手段をディスクの移動経路外への退避状態に保持するように設定されていることを特徴としている。
【００２３】
第２ディスクドライブ装置によれば、第１ディスクドライブ装置による作用に加え、ディスク保持部材が装置内方へ移動する際には、ディスク保持部材の摺接部が回転手段支持部材の平坦面、傾斜面の順序で摺接する。ディスク保持部材の摺接部が回転手段支持部材の平坦面と摺接しているとき、ディスク回転手段がディスク移動経路外への退避状態に保持され、ディスク保持部材の摺接部が回転手段支持部材の傾斜面と摺接しているとき、回転手段支持部材が付勢手段の付勢力により係合方向へ移動する。したがって、ディスク保持部材が装置内方へ移動したときには、回転手段支持部材にて支持されたディスク回転手段が、先ずディスクの移動経路から退行した位置に保持され、その後ディスクの移動経路に進出し、ディスク保持手段に保持されたディスクと係合する。
【００２４】
一方、ディスク保持部材が装置外方へ移動する際には、ディスク保持部材の摺接部が回転手段支持部材の傾斜面、平坦面の順序で摺接する。ディスク保持部材の摺接部が回転手段支持部材の傾斜面、平坦面と摺接しているときの回転手段支持部材、即ちディスク回転手段の移動は、前記したディスク保持部材が装置内方へ移動する際の動作と略逆の動作となる。したがって、ディスク保持部材が装置外方へ移動したときには、回転手段支持部材にて支持されたディスク回転手段が、先ずディスクとの係合を解除し、ディスクの移動経路からの退避動作を行う。その後、ディスクの移動経路外への退避状態に保持される。
【００２５】
本ディスクドライブ装置は、上記のように、装置内方および外方へ進退移動するディスク保持部材の摺接部と回転手段支持部材の平坦面および傾斜面との係合動作、並びに付勢手段による回転手段支持部材への付勢動作により、ディスクに対してディスク回転手段を係合させた状態と、ディスクに対するディスク回転手段の係合を解除し、かつディスク回転手段をディスクの移動経路から退行させた状態とを得るという簡単な構成である。したがって、装置の構成を簡略化することができる。
【００２６】
本発明の第３ディスクドライブ装置は、第１ディスクドライブ装置において、前記ディスクがディスクケースに収納されており、前記ディスクケースと係合してディスクを位置決めするとともに、ディスクケースの移動経路に進出し、前記ディスクケースと係合するための位置決め動作方向、およびディスクケースの移動経路から退行し、前記ディスクケースとの係合を解除する位置決め動作解除方向へ移動可能な位置決め部材を備え、前記ディスク保持手段が、前記位置決め部材との係合動作により、装置内方へ移動する際に前記位置決め部材を前記位置決め動作方向へ移動させる一方、装置外方へ移動する際に前記位置決め部材を前記位置決め動作解除方向へ移動させるものであることを特徴としている。
【００２７】
第３ディスクドライブ装置によれば、第１ディスクドライブ装置による作用に加え、ディスク保持手段が装置内方へ移動した際には、ディスク保持手段と位置決め部材との係合動作により、位置決め部材が、ディスクケースの移動経路に進出してディスクケースと係合するための位置決め動作方向へ移動する。これにより、ディスク保持手段にて保持されたディスクケースが装置内方において位置決めされる。
【００２８】
一方、ディスク保持手段が装置外方へ移動した際には、ディスク保持手段と位置決め部材との係合動作により、位置決め部材が、ディスクケースの移動経路から退行し、位置決め動作解除方向へ移動する。これにより、ディスクケースが移動可能となる。
【００２９】
本ディスクドライブ装置では、上記のように、装置内方および装置外方へのディスク保持手段の進退移動に伴って、ディスク保持手段と位置決め部材との係合動作により、装置内方位置でのディスクケース、即ちディスクの位置決めとその解除とが行われるようになっている。したがって、ディスク位置決め用の駆動源
、例えばモータが不要となり、さらに装置のコストダウンを図ることができる。
【００３０】
本発明の第４ディスクドライブ装置は、第３ディスクドライブ装置において、前記位置決め部材に、前記ディスク保持手段の前記進退移動方向に平行な平坦面と、この平坦面と連続し、斜め前記位置決め動作解除方向へ傾斜する傾斜面とが前記ディスク保持手段の進退移動方向に並んで形成され、前記ディスク保持手段が、前記位置決め部材を前記位置決め動作方向へ付勢する付勢手段と、前記ディスクを保持可能であり、前記進退移動の際に前記位置決め部材の平坦面および傾斜面と摺接する摺接部を有するディスク保持部材とを備え、前記ディスク保持部材が装置内方へ移動する際に前記摺接部が前記平坦面、前記傾斜面の順序で摺接する一方、前記ディスク保持部材が装置外方へ移動する際に前記摺接部が前記傾斜面、前記平坦面の順序で摺接し、前記ディスク保持部材が装置内方へ移動する際には、前記摺接部が前記傾斜面と摺接することにより、前記位置決め部材を前記付勢手段の付勢力により前記位置決め動作方向へ移動させ、前記ディスク保持部材が装置外方へ移動する際には、前記摺接部が前記傾斜面と摺接することにより、前記位置決め部材を前記付勢手段の付勢力に抗して位置決め動作解除方向へ移動させ、前記摺接部が前記平坦面を移動する際には、前記位置決め部材をディスクケースの移動経路外への退避状態に保持するように設定されていることを特徴としている。
【００３１】
第４ディスクドライブ装置によれば、第３ディスクドライブ装置による作用に加え、ディスク保持部材が装置内方へ移動する際には、ディスク保持部材の摺接部が位置決め部材の平坦面、傾斜面の順序で摺接する。ディスク保持部材の摺接部が位置決め部材の平坦面と摺接しているとき、位置決め部材がディスクケースの移動経路外への退避状態に保持され、ディスク保持部材の摺接部が位置決め部材の傾斜面と摺接しているとき、位置決め部材が付勢手段の付勢力により位置決め動作方向へ移動する。したがって、ディスク保持部材が装置内方へ移動したときには、位置決め部材が、先ずディスクの移動経路から退行した位置に保持され、その後ディスクの移動経路に進出し、ディスク保持手段に保持されたディスクを位置決めする。
【００３２】
一方、ディスク保持部材が装置外方へ移動する際には、ディスク保持部材の摺接部が位置決め部材の傾斜面、平坦面の順序で摺接する。ディスク保持部材の摺接部が位置決め部材の傾斜面、平坦面と摺接しているときの位置決め部材の移動は、前記したディスク保持部材が装置内方へ移動する際の動作と略逆となる。したがって、ディスク保持部材が装置外方へ移動する際には、位置決め部材が、先ずディスクケースとの位置決め動作の解除方向に移動し、ディスクケースの移動経路からの退避動作を行う。その後、ディスクケースの移動経路外への退避状態に保持される。
【００３３】
本ディスクドライブ装置は、上記のように、装置内方および外方へ進退移動するディスク保持部材の摺接部と位置決め部材の平坦面および傾斜面との係合動作、並びに付勢手段による位置決め部材への付勢動作により、装置内方においてディスクを位置決めした状態と、この位置決めを解除し、かつ位置決め部材をディスクの移動経路から退行させた状態とを得るという簡単な構成である。したがって、さらに装置の構成を簡略化することができる。
【００３４】
本発明の第５ディスクドライブ装置は、第１または第２ディスクドライブ装置において、基台と、ディスク保持部材付勢手段とを備え、前記ディスクがディスクケースに収納されており、前記ディスク保持手段が、前記ディスクを保持可能であるとともに前記進退移動を行うディスク保持部材を有し、前記基台が、前記ディスク保持部材を前記進退移動可能に支持するとともに、ディスク保持部材に保持されたディスクケースとの対向面に圧接受け部を有し、前記ディスク保持部材付勢手段が、前記ディスク保持部材を装置内方への移動方向に付勢するものであり、前記保持部材と前記基台との何れか一方には第１案内部が形成され、他方には前記第１案内部と係合し、前記ディスク保持部材を装置内方に案内する第２案内部が形成され、前記第２案内部の装置内方側の終端部には、前記ディスク保持部材を前記基台の圧接受け部方向に案内する圧接案内部が形成されていることを特徴としている。
【００３５】
第５ディスクドライブ装置によれば、第１または第２ディスクドライブ装置による作用に加え、ディスク保持部材は、基台に支持され、ディスク保持部材付勢手段に付勢されて、装置内方に移動する。このときのディスク保持部材の移動は第１案内部および第２案内部により案内される。ディスク保持部材が装置内方に移動し、第１案内部が第２案内部の終端部の圧接案内部に達すると、ディスク保持部材が基台の圧接受け部方向に案内される。これにより、ディスク保持部材に保持されているディスクケースは、ディスク保持部材付勢手段の付勢力により基台の圧接受け部に圧接され、基台上に固定される。
【００３６】
本ディスクドライブ装置では、上記のように、ディスク保持部材を装置内方に付勢するディスク保持部材付勢手段の付勢力を基台の圧接受け部方向に作用させ、ディスクケースを基台上に固定することができる。したがって、簡単な構成により、ディスクの回転動作時にディスクケースが基台上の所定位置から浮上してディスクがディスクケース内面と衝突し、記録または再生動作に支障を来す事態、さらにはディスクを損傷する事態を回避することができる。
【００３７】
本発明の第６ディスクドライブ装置は、第２または第４ディスクドライブ装置において、基台と、シャッター開閉部材と、このシャッター開閉部材を装置内方へ付勢する開閉部材付勢手段とを備え、前記ディスクがディスクケースに収納され、このディスクケースには内部のディスクを露出させるための窓を開閉するシャッターが設けられ、前記ディスク保持手段が、前記ディスクを保持可能であるとともに前記進退移動を行うディスク保持部材を有し、前記シャッター開閉部材が、前記ディスク保持部材の前記進退移動方向において所定範囲のみ相対的に進退移動可能に前記ディスク保持部材により支持されるとともに、装置内方への前記ディスクケースの移動に伴って前記シャッターと係合してシャッターを開放するためのシャッター開放部を有し、前記基台が、前記ディスク保持部材を前記進退移動可能に支持するとともに、シャッター開閉部材によりシャッターが開放される開放位置にてシャッター開閉部材と係合する係止部を有し、前記開放位置において前記ディスク保持部材の摺接部が前記傾斜面と係合可能であり、前記開放位置よりも装置内方側に、前記ディスク回転手段によるディスクの回転を可能とするローディング完了位置が設けられていることを特徴としている。
【００３８】
第６ディスクドライブ装置の構成によれば、第２または第４ディスクドライブ装置による作用に加え、ディスクケースが装置内方に挿入されると、このディスクケースの装置内方への移動に伴って、ディスクケースのシャッターにシャッター開閉部材のシャッター開放部が係合し、シャッターが開放される。
【００３９】
一方、シャッター開閉部材とディスク保持部材とは、開閉部材付勢手段に付勢され、一体となって装置内方へ移動する。その後、シャッター開閉部材は基台の係止部に係止され、移動を停止する。このとき、シャッターは開放された状態である。
【００４０】
シャッター開閉部材が移動を停止した後、ディスク保持部材は、開閉部材付勢手段の付勢力を受けないものの、付勢手段に付勢されて前記係合方向へ移動する回転手段支持部材の傾斜面、または付勢手段に付勢されて前記位置決め動作方向へ移動する位置決め部材の傾斜面から、さらに装置内方のローディング完了位置方向への付勢力を受ける。
【００４１】
本ディスクドライブ装置では、上記のように、シャッター開閉部材とディスク保持部材とが一体的に装置内方へ移動し、シャッター開閉部材によるシャッターの開放後には、ディスク保持部材が単独でローディング完了位置方向へ移動するようになっているので、ディスクケースのシャッターの開放動作からローディン
グ完了位置へのディスク保持部材の移動までを円滑に行うことができる。
【００４２】
また、ローディング完了位置へディスク保持部材が単独で移動するときには、回転手段支持部材の傾斜面または位置決め部材の傾斜面からの付勢力がディスク保持部材に作用するので、ディスク保持部材をローディング完了位置へ移動させるのに必要な他の操作力を低減することができる。
【００４３】
本発明の第７ディスクドライブ装置は、第２ディスクドライブ装置において、前記ディスク保持部材の摺接部と前記回転手段支持部材の平坦面および傾斜面との対が、少なくとも第１の対と第２の対との２対設けられ、装置外方への前記ディスク保持部材の移動に伴い、前記摺接部が前記傾斜面と摺接して前記回転手段支持部材が係合解除方向へ移動を開始する時点が、第１の対の側と第２の対の側とで異なるように設定されていることを特徴としている。
【００４４】
第７ディスクドライブ装置によれば、第２ディスクドライブ装置による作用に加え、ディスク保持部材の摺接部が回転手段支持部材の傾斜面と摺接して回転手段支持部材が係合解除方向へ移動を開始する時点が、第１の対の側と第２の対の側とで異なるので、回転手段支持部材、即ちディスク回転手段がディスクに対し傾いた状態で移動し、ディスクとの係合を解除することになる。したがって、ディスク回転手段とディスクとが例えば磁力により係合している場合において、ディスクとディスク回転手段との係合解除を小さい力にて行うことができる。
【００４５】
また、ディスク保持部材の摺接部と回転手段支持部材の平坦面および傾斜面との対が少なくとも２対設けられているので、ディスク回転手段がディスクの移動経路から退行している状態において、回転手段支持部材は少なくとも２点で付勢手段の付勢力に抗して退行方向に押されているので、ディスク回転手段の傾きを抑制することができる。したがって、装置内方へのディスクの移動時において、ディスクとディスク回転手段との接触を回避し、両者の損傷を防止することができる。
【００４６】
【発明の実施の形態】
本発明の実施の一形態を図１ないし図２６に基づいて以下に説明する。
尚、各図において、矢印Ａ方向はディスクドライブ装置の後方向、矢印Ｂ方向は前方向、矢印ＣおよびＤ方向はそれぞれ右および左方向、矢印ＥおよびＦ方向はそれぞれ上および下方向、矢印ＧおよびＨ方向はディスクドライブ装置を上方から見たときのそれぞれ時計および反時計方向を示す。また、矢印Ａ方向はディスクドライブ装置へのカートリッジケースの挿入時の移動方向であり、矢印Ｂ方向はディスクドライブ装置からのカートリッジケースの抜脱時の移動方向である。
【００４７】
本実施の形態のディスクドライブ装置は、記録媒体として、図５（ａ）〜（ｃ）に示すカートリッジ収納ディスク５０を使用するようになっている。このカートリッジ収納ディスク５０は、カートリッジケース５１（ディスクケース）と、このカートリッジケース５１内に収納されたディスク５２とを備えている。カートリッジケース５１は、内部に収納しているディスク５２をピックアップ１９（図１参照）により走査するために露出させる窓５１ａを有する。この窓５１ａは矢印Ａ−Ｂ方向に摺動可能なシャッター５１ｂにより開閉される。シャッター５１ｂは、閉じた状態においてロックレバー５１ｃによりロックされる。このロック動作により、ディスクドライブ装置外において窓５１ａが開放されてディスク５２が露出することが防止されている。上記シャッター５１ｂは係合凹部５１ｂ1 とロック凸部５１ｂ2 とを有している。
【００４８】
カートリッジケース５１におけるシャッター５１ｂの配設側の側面には、カートリッジケース５１の後端側から中央付近まで、シャッター開放案内溝５１ｄが形成されている。このシャッター開放案内溝５１ｄに沿う位置にはロックレバー５１ｃが設けられている。このロックレバー５１ｃは、シャッター５１ｂの前記ロック凸部５１ｂ2 と嵌合するロック凹部５１ｃ1 を有している。これらロック凸部５１ｂ2 とロック凹部５１ｃ1 とが嵌合するとき、シャッター５１ｂは閉状態でロックされる。
【００４９】
また、カートリッジケース５１には、Ａ方向側の位置およびＢ方向側の位置にカートリッジケース５１の位置決め用の位置決め凹部５１ｅ・５１ｆが形成されている。
【００５０】
次に、ディスクドライブ装置の構成について説明する。ここで、図１ないし図４はディスクドライブ装置の着脱可能状態を示し、図１２ないし図１４はディスクドライブ装置の中継状態を示し、図１５ないし図１９はディスクドライブ装置の記録再生可能状態（ローディング完了状態）を示している。
【００５１】
ディスクドライブ装置は、図１に示すように、主な構成要素として、メインシャーシ１（基台）、ホルダー７（ディスク保持手段、ディスク保持部材）、シャッター開閉レバー８（シャッター開閉部材）、解除レバー１２、位置決めＦブロック１５（位置決め部材、図９参照）、位置決めＲブロック１６（位置決め部材、図１０参照）、モータ昇降機構１８、ピックアップ１９、ターンテーブル２１ａ（ディスク回転手段）、スピンドルモータ２１（ディスク回転手段）を備えている。
【００５２】
メインシャーシ１は、図６（ａ）〜（ｃ）に示すように、底壁部２、Ｄ方向側の左側壁部３、Ｃ方向側の右側壁部４、Ａ方向側の後壁部５、およびＢ方向側の前垂下部６を有している。
【００５３】
図６（ｂ）に示すように、底壁部２におけるほぼ中央からＣ方向側の位置には、開口部２ａが形成されている。この開口部２ａは、ターンテーブル２１ａおよびこれを回転駆動するスピンドルモータ２１の取り付け、並びにピックアップ１９の移動範囲を考慮した大きさに形成されている。開口部２ａにおけるＤ方向側の部位は、長孔部２ａ1 となっている。また、底壁部２には、Ｂ方向側の端部、Ａ方向側の端部、開口部２ａのＤ方向側位置に、それぞれ、長孔２ｂ、長孔２ｃ、長孔２ｄが形成されている。長孔２ｄは前記長孔部２ａ1 のＡ方向側に位置している。前記長孔部２ａ1 の両側および長孔２ｄのＢ方向側位置における底壁部２の裏面には、ビス孔を有する合計３本の軸２ｅが立設されている。
【００５４】
また、底壁部２には、四隅付近の位置に、絞り加工により形成された上方凸部２ｆ・２ｇ・２ｈ・２ｉ（圧接受け部）が形成されている。これら上方凸部２ｆ〜２ｉは、記録再生時にカートリッジケース５１をＥ−Ｆ方向に位置決めする際に使用される。上方凸部２ｈ・２ｉはそれぞれ前記長孔２ｂ・２ｃのＣ方向側に位置し、これら上方凸部２ｈ・２ｉにはそれぞれピン進退孔２ｈ1 ・２ｉ1 が形成されている。底壁部２の裏面における上方凸部２ｈ・２ｉのＤ方向側位置には、それぞれビス孔を有する軸２ｊ1 ・２ｋ1 が立設され、同様に、上方凸部２ｈ・２ｉのＣ方向側位置には、それぞれビス孔を有する軸２ｊ2 ・２ｋ2 が立設されている。また、開口部２ａにおけるＢ方向側の端部位置には、ほぼＬ字形に曲げられ、底壁部２の裏面側から突出したガイドレール２ｍが形成されている。このガイドレール２ｍは、後述するピックアップ移動部２０の構成要素である。
【００５５】
メインシャーシ１の左側壁部３における前後位置（Ｂ−Ａ方向位置）には、図６（ａ）に示すように、Ｂ側位置に開口部を有し、Ａ方向に延びる案内孔３ａ・３ａが形成されている。これら案内孔３ａにおける前部（Ｂ方向側）は水平部３ａ1 となり、後部（Ａ方向側）は下方（Ｆ方向）へ傾斜した下方傾斜部３ａ2 となっている。また、前後の案内孔３ａ・３ａ間には、Ｄ方向へ延びるばね係合部３ｂが形成されている。
【００５６】
メインシャーシ１の右側壁部４における前後位置（Ｂ−Ａ方向位置）には、図６（ｃ）に示すように、前記の左側壁部３と同様、Ｂ側位置に開口部を有し、Ａ方向に延びる案内孔４ａ・４ａ（第２案内部材）が形成されている。これら案内孔４ａにおける前部（Ｂ方向側）は水平部４ａ1 となり、後部（Ａ方向側）は後ろ斜め下方（Ｆ方向）へ傾斜した下方傾斜部４ａ2 （圧接案内部）となっている。また、前後の案内孔４ａ・４ａ間には、Ｃ方向へ延びるばね係合部４ｂが形成されている。また、右側壁部４の前部位置にはビス孔４ｃが形成され、前部側の案内孔４ａの上方位置には係止部４ｄが形成され、ばね係合部４ｂの下方位置にはシャフト取付け孔４ｅが形成されている。
【００５７】
メインシャーシ１の後壁部５には、上方（Ｅ方向）に延びた係合部５ａが形成され、この係合部５ａにおけるＤ方向側の側壁部は係止縁５ａ1 となっている。また、後壁部５の前面（Ｂ方向側の面）には僅かに突出した２個の位置規制面５ｃ・５ｃが形成さている。
【００５８】
ホルダー７は、図７（ａ）〜（ｃ）に示すように、底壁部７ａ、Ｄ方向側の左側壁部７ｂ、この左側壁部７ｂの上端部からＣ方向へ折曲された左上壁部７ｃ、Ｃ方向側の右側壁部７ｄ、およびこの右側壁部７ｄの上端部からＤ方向へ折曲された右上壁部７ｅを有している。即ちホルダー７は、両側部が上向きにコ字形に折曲され、前面側にカートリッジ収納ディスク５０を挿入するためのカートリッジ挿入口７ｆが形成されている。
【００５９】
ホルダー７の上記底壁部７ａには、ターンテーブル２１ａが入り込み得る範囲、およびピックアップ１９の移動範囲を考慮した大きさの開口部７ｇが形成されている。上記開口部７ｇにおけるＢ方向側の端部とＡ方向側の端部には、それぞれ底壁部７ａから下方に突出する摺接部７ｈ、摺接部７ｉが形成されている。また、底壁部７ａのＣ方向側の前端部と後端部とに、それぞれ底壁部７ａから下方に突出する摺接部７ｊ、摺接部７ｋが形成されている。これら摺接部７ｈ〜７ｋは、下端部が斜め上方へ折り返されている。これら摺接部７ｈ・７ｉ・７ｊ・７ｋは、それぞれメインシャーシ１における底壁部２の長孔部２ａ1 、長孔２ｄ・２ｂ・２ｃ内に配されるようになっている。
【００６０】
ホルダー７の左側壁部７ｂには、図７（ａ）に示すように、Ｄ方向に突出する２個の案内軸７ｎ・７ｎが、前後（Ｂ−Ａ方向）位置に設けられている。また、左側壁部７ｂの前部（Ｂ方向側）位置には、Ｄ方向に突出するばね係合部７ｏが形成されている。
【００６１】
ホルダー７の右側壁部７ｄには、図７（ｃ）に示すように、Ｃ方向に突出する２個の案内軸７ｐ・７ｐ（第１案内部）が、前後（Ｂ−Ａ方向）位置に設けられている。また、右側壁部７ｄの前部（Ｂ方向側）位置には角孔７ｑが形成され、この角孔７ｑにおけるＥ方向側の端部にはＣ方向に突出する排出操作部７ｒが形成され、上記２個の案内軸７ｐ・７ｐ間の位置には、Ｂ−Ａ方向に延びる長孔７ｓが形成されている。
【００６２】
ホルダー７の左上壁部７ｃには、図７（ｂ）に示すように、前後（Ｂ−Ａ方向）の端部付近の位置に、絞り加工により下方凸部７ｔ・７ｔが形成されている。これら下方凸部７ｔ・７ｔは右上壁部７ｅにも同様に形成されている。また、左上壁部７ｃには、後部（Ａ方向）側の位置に上方（Ｅ方向）に折曲された案内凸部７ｕが形成され、この案内凸部７ｕのＢ方向側位置にＥ方向に折曲されたばね係合部７ｖが形成されている。
【００６３】
シャッター開閉レバー８は、図８（ａ）〜（ｃ）に示すように、薄板状をなし、後端部と前部にＡ−Ｂ方向に延びる長孔８ａ・８ａを有している。これら２個の長孔８ａ・８ａ間の位置には、Ｄ方向に折曲されたシャッター開放部８ｂを有している。シャッター開閉レバー８はＢ方向側端部が幅狭形状となっており、この部分にシャッター係合部８ｃを有している。このシャッター係合部８ｃは、Ｄ方向に突出するほぼＶ字形状を有している。また、シャッター開閉レバー８のＢ方向側の長孔８ａに対するＥ方向の位置には、Ｃ方向に折曲されたばね係合部８ｄが形成されている。
【００６４】
シャッター開閉レバー８は、図７（ｂ）（ｃ）に示すように、ホルダー７における右側壁部７ｄの外面に、ホルダー７の案内軸７ｐ・７ｐが長孔８ａ・８ａに挿入され、シャッター開放部８ｂとシャッター係合部８ｃをそれぞれホルダー７の長孔７ｓと角孔７ｑに挿入させた状態で取り付けられている。したがって、シャッター開閉レバー８は、Ｃ−Ｄ、Ｅ−Ｆ方向の移動を規制され、長孔８ａの範囲内において、ホルダー７に対しＡ−Ｂ方向へのみ移動可能となっている。なお案内軸７ｐ・７ｐには、シャッター開閉レバー８のＣ−Ｄ方向の位置を規制する規制部材９・９が取り付けられている。
【００６５】
ホルダー７とシャッター開閉レバー８とは、図１に示すように、メインシャーシ１における底壁部２上に組み込まれている。この状態において、図４に示すように、ホルダー７の左上壁部７ｃの案内軸７ｎ・７ｎは、メインシャーシ１の左側壁部３の案内孔３ａ・３ａに挿入され、図１および図３に示すように、右側壁部７ｄの案内軸７ｐ・７ｐは、右側壁部４の案内孔４ａ・４ａに挿入されている。
【００６６】
これにより、ホルダー７はメインシャーシ１に対してＡ−Ｂ方向に移動自在可能である。このとき、メインシャーシ１の右側壁部４におけるビス孔４ｃ（図６（ｃ）参照）には、外面側から図示しないビスが螺着され、このビスの先端部がホルダー７の右側壁部７ｄにおける角孔７ｑ（図７（ｃ）参照）に挿入されている。この構造により、上記の案内軸７ｎ・７ｎおよび案内軸７ｐ・７ｐが案内孔３ａ・３ａおよび案内孔４ａ・４ａからＢ方向へ抜け出すことが阻止されている。
【００６７】
また、メインシャーシ１の左側壁部３におけるばね係合部３ｂとホルダー７の左側壁部７ｂにおけるばね係合部７ｏとの間には、図４に示すように、ホルダー７を後方（Ａ方向）に付勢するローディングＬばね１０が設けられている。さらに、メインシャーシ１の右側壁部４におけるばね係合部４ｂとシャッター開閉レバー８のばね係合部８ｄとの間には、図３に示すように、シャッター開閉レバー８を後方（Ａ方向）に付勢するローディングＲばね１１（開閉部材付勢手段）が設けられている。ホルダー７は、上記シャッター開閉レバー８の長孔８ａと案内軸７ｐとの係合により、ローディングＲばね１１の付勢力をシャッター開閉レバー８を介して受け、着脱位置において、ローディングＲばね１１により矢印Ａ方向に付勢された状態となる。
【００６８】
解除レバー１２は、図１および図２に示すように、ほぼ扇形をなし、ホルダー７における左上壁部７ｃの後部（Ａ方向位置）上面に、支点軸１３によって矢印Ｇ−Ｈ方向に回動自在に取り付けられている。解除レバー１２は円弧状の案内孔１２ａを有し、この案内孔１２ａ内にはホルダー７の案内凸部７ｕが挿入されている。したがって、解除レバー１２の回動範囲は、案内孔１２ａの範囲に規制されている。
【００６９】
解除レバー１２におけるＧ方向側の端部には上方（Ｅ方向）に折曲されたばね係合部１２ｂが形成され、このばね係合部１２ｂとホルダー７のばね係合部７ｖとの間に、解除レバー１２をＧ方向に付勢するばね１４が設けられている。
【００７０】
また、解除レバー１２は、切り欠き形状によってＧ方向側の第１アーム１２ｃとＨ方向側の第２アーム１２ｄとに分岐している。第１アーム１２ｃは、先端部に、カートリッジケース５１を蹴り出すための蹴出し部１２ｅを有している。この蹴出し部１２ｅには、ホルダー７内にカートリッジケース５１を挿入したときに、そのＡ方向側の端面が当接するようになっている。
【００７１】
第２アーム１２ｄは、扇形を形成する外周部に円弧縁１２ｆを有し、Ｇ方向側の側縁部に直線縁１２ｇを有し、円弧縁１２ｆと直線縁１２ｇとの間に、直線縁１２ｇの端部から円弧縁１２ｆの端部に斜めに達する傾斜縁１２ｈを有している。
【００７２】
解除レバー１２がばね１４に付勢されて、図２に示すように、最もＧ方向に回動した状態にあるとき、円弧縁１２ｆがメインシャーシ１の係合部５ａと係合し、ローディングＲばね１１およびローディングＬばね１０により矢印Ａ方向に付勢されているホルダー７のＡ方向の位置決めがなされる。このホルダー７の位置決めにより、解除レバー１２のＡ方向の位置決めもなされる。
【００７３】
一方、ばね１４の付勢力に抗して解除レバー１２がＨ方向に回動し、円弧縁１２ｆとメインシャーシ１の係合部５ａとの係合が解除されたとき、解除レバー１２、ホルダー７およびシャッター開閉レバー８が、ローディングＲばね１１およびローディングＬばね１０に付勢されて矢印Ａ方向に移動する。この結果、図１６に示すように、解除レバー１２の直線縁１２ｇが係合部５ａの係止縁５ａ1 と係合し、解除レバー１２のＧ方向への回動が阻止された状態となる。
【００７４】
位置決めＦブロック１５は、図９（ａ）〜（ｄ）に示すように、位置決めピン部１５ａと水平部１５ｂと垂下部１５ｃとを有している。位置決めピン部１５ａは水平部１５ｂの上に形成されている。この位置決めピン部１５ａは、円柱形部１５ａ1 の上端に形成された先端部１５ａ2 が、頂部の位置が前方側（Ｂ方向側）にずれた略円錐形状となっている。
【００７５】
水平部１５ｂは上面がＡ−ＢおよびＣ−Ｄ方向と平行であり、平坦面となっている。水平部１５ｂには軸挿入孔１５ｄ・１５ｅが形成され、位置決めＦブロック１５は、前記軸挿入孔１５ｄ・１５ｅにメインシャーシ１の軸２ｊ1 ・２ｊ2 を挿入させた状態でメインシャーシ１に取り付けられている。また、位置決めＦブロック１５は、図２３（ａ）に示すように、水平部１５ｂの裏面と軸２ｊ1 ・２ｊ2 の下端部との間に配されたばね１７・１７（付勢手段）により、上方（Ｅ方向）に付勢されている。
【００７６】
垂下部１５ｃは傾斜面１５ｆを有している。この傾斜面１５ｆは、水平部１５ｂの上面と連続し、後（Ａ）方向の下（Ｆ）方向へ傾斜している。
【００７７】
上記傾斜面１５ｆから水平部１５ｂの上面にかけては、図２３（ａ）および図２４（ａ）に示すように、ホルダー７の摺接部７ｊの下端部が摺接し、この動作により位置決めＦブロック１５が昇降動作を行う。そして、位置決めピン部１５ａは、位置決めＦブロック１５の上昇および下降動作に応じて、メインシャーシ１の底壁部２の上方凸部２ｈにおけるピン進退孔２ｈ1 を通じ、上方凸部２ｈからの突出および退行動作を行う。位置決めＦブロック１５、即ち位置決めピン部１５ａの上昇位置は、図２５（ａ）に示すように、位置決めＦブロック１５の水
平部１５ｂの上面がメインシャーシ１の裏面と当接することにより規制される。
【００７８】
位置決めＲブロック１６は、図１０（ａ）〜（ｄ）に示すように、位置決めＦブロック１５と同形状となっている。即ち位置決めＲブロック１６は、円柱形部１６ａ1 と先端部１６ａ2 とを有する位置決めピン部１６ａ、軸挿入孔１６ｄ・１６ｅを有する水平部１６ｂ、および傾斜面１６ｆを有する垂下部１６ｃを備えている。また、水平部１６ｂは上面に平坦面を有している。
【００７９】
位置決めＲブロック１６は、図２３（ｂ）に示すように、前記軸挿入孔１６ｄ・１６ｅにメインシャーシ１の軸２ｋ1 ・２ｋ2 を挿入させた状態でメインシャーシ１に取り付けられている。また、位置決めＲブロック１６は、水平部１６ｂの裏面と軸２ｋ1 ・２ｋ2 の下端部との間に配されたばね１７・１７により、上方（Ｅ方向）に付勢されている。
【００８０】
上記傾斜面１６ｆから水平部１６ｂの上面にかけては、図２３（ｂ）および図２４（ｂ）に示すように、ホルダー７の摺接部７ｋの下端部が摺接し、この動作により位置決めＲブロック１６が昇降動作を行う。そして、位置決めピン部１６ａは、位置決めＲブロック１６の上昇および下降動作に応じて、メインシャーシ１の底壁部２の上方凸部２ｉにおけるピン進退孔２ｉ1 を通じ、上方凸部２ｉからの突出および退行動作を行う。位置決めＲブロック１６、即ち位置決めピン部１６ａの上昇位置は、図２５（ｂ）に示すように、位置決めＲブロック１６の水
平部１６ｂの上面がメインシャーシ１の裏面と当接することにより規制される。
【００８１】
上記位置決めピン部１５ａ・１６ａは、カートリッジ収納ディスク５０がホルダー７内に挿入された記録再生時に、カートリッジケース５１の位置決め凹部５１ｆ・５１ｅに挿入され、カートリッジケース５１をＡ−Ｂ方向およびＣ−Ｄ方向に位置決めするようになっている。
【００８２】
本ディスクドライブ装置は、さらに、図１および図２に示すように、ピックアップ１９、ピックアップ移動部２０、ディスク５２を回転させるスピンドルモータ２１（ディスク回転駆動手段）、およびこのスピンドルモータ２１を昇降させるモータ昇降機構１８を備えている。スピンドルモータ２１は、ディスク５２をチャッキングするためのターンテーブル２１ａを一体化的に備えている。
【００８３】
モータ昇降機構１８はスピンドルモータ２１を保持する板状のモータベース部材２２（回転手段支持部材）を備えている。このモータベース部材２２は、図１１（ａ）〜（ｄ）に示すように、前方（Ｂ方向）側から後方（Ａ方向）側に向かって、２個の前水平部２２ａ・２２ｂ、これら前水平部２２ａ・２２ｂから斜め後方に傾斜する前傾斜部２２ｃ、この前傾斜部２２ｃから水平に後方へ延びるモータ保持部２２ｄ、このモータ保持部２２ｄからほぼ前記前水平部２２ａ・２２ｂの高さに高くなった後水平部２２ｅ、およびこの後水平部２２ｅから斜め後方に傾斜する後傾斜部２２ｆを有している。上記前水平部２２ａ・２２ｂおよび後水平部２２ｅの上面は平坦面となり、前傾斜部２２ｃおよび後傾斜部２２ｆの上面は傾斜面となっている。
【００８４】
上記モータ保持部２２ｄによりスピンドルモータ２１が保持される。上記の３個の水平部２２ａ・２２ｂ・２２ｅにはそれぞれ軸挿入孔２２ｇ・２２ｈ・２２ｉが形成されており、モータベース部材２２は、図２１に示すように、これら軸挿入孔２２ｇ・２２ｈ・２２ｉにメインシャーシ１の軸２ｅ・２ｅ・２ｅを挿入させた状態でメインシャーシ１の下面側に取り付けられている。これにより、スピンドルモータ２１のＡ−Ｂ方向およびＣ−Ｄ方向の位置規制がなされる。この状態において、スピンドルモータ２１はメインシャーシ１の開口部２ａおよびホルダー７の開口部７ｇに位置している。また、モータベース部材２２は、水平部２２ａ・２２ｂ・２２ｅの裏面と軸２ｅ・２ｅ・２ｅの下端部との間に配されたばね２３（ディスク保持手段、付勢手段）により、上方（Ｅ方向）に付勢されている。
【００８５】
上記前水平部２２ａから前傾斜部２２ｃにかけては、図２０および図２１に示すように、ホルダー７の摺接部７ｈが摺接し、後水平部２２ｅから後傾斜部２２ｆにかけてはホルダー７の摺接部７ｉが摺接する。この動作によりモータベース部材２２、即ちスピンドルモータ２１が昇降動作を行う。そして、スピンドルモータ２１のターンテーブル２１ａは、モータベース部材２２の上昇および下降動作に応じて、メインシャーシ１の開口部２ａおよびホルダー７の開口部７ｇを通じ、ホルダー７の底壁部７ａから上方への突出および退行動作を行う。スピンドルモータ２１の上昇位置は、図２２に示すように、モータベース部材２２の前水平部２２ａ・２２ｂおよび後水平部２２ｅがメインシャーシ１の裏面と当接することにより規制される。
【００８６】
ピックアップ１９は、図１９に示すように、上面の中央部に対物レンズ１９ａを有している。ピックアップ１９は、さらに、従来周知のように、光源である半導体レーザー、この半導体レーザーのレーザー光を対物レンズ１９ａに導く光学系、受光素子、対物レンズ１９ａからの戻り光（ディスク５２による反射光）を受光素子に導く光学系、およびフォーカシング・トラッキング制御部品等、図示しない各部品を内装する。
【００８７】
ピックアップ１９を移動させるピックアップ移動部２０は、メインシャーシ１の裏面に設けられている。このピックアップ移動部２０は、メインシャーシ１に設けられたガイドシャフト２４とメインシャーシ１の底壁部２のガイドレール２ｍとを有し、これらによりピックアップ１９をディスク５２の記録面に対して平行にかつディスク５２の径方向に摺動可能に支持している。前記ガイドシャフト２４は、シャフト押え２５と図６（ｃ）に示したメインシャーシ１の右側壁部４のシャフト取付け孔４ｅとによりメインシャーシ１に取り付けられている。ガイドシャフト２４とガイドレール２ｍとは、互いに平行であるとともに、矢印Ｃ−Ｄ方向に平行である。
【００８８】
ピックアップ移動部２０は、さらに、ピックアップ１９の後端側に取り付けられ、ねじ部２６ａを有するグリップ２６、前記ねじ部２６ａと歯合する駆動ねじ２７、駆動ねじ２７の端部に設けられたギヤ部（ウォームホイール）２８、およびこのギヤ部２８と歯合する中間ギヤ２９、この中間ギヤ２９を駆動するフィードモータブロック３０を備えている。
【００８９】
上記駆動ねじ２７は、ガイドシャフト２４およびガイドレール２ｍと平行となるように、軸受け３１・３２により支持されている。駆動ねじ２７の回転方向、即ちピックアップ１９の移動方向はフィードモータ３０ｂの回転方向によって決定される。中間ギヤ２９は前記ギヤ部２８と歯合するウォーム部２９ａおよび大ギヤ部２９ｂを有している。フィードモータブロック３０は、前記大ギヤ部２９ｂと歯合するギヤ３０ａ、およびこのギヤ３０ａを駆動するフィードモータ３０ｂを有する。したがって、ピックアップ１９はフィードモータ３０ｂの回転によりＣ−Ｄ方向に移動する。
【００９０】
上記の構成において、本ディスクドライブ装置の動作を以下に説明する。
ディスクドライブ装置は、カートリッジ収納ディスク５０を着脱可能な状態である着脱可能状態と、ディスク５２に対して記録再生動作が可能な状態である記録再生可能状態とをとり得る。ホルダー７は、着脱可能状態において着脱位置に配され、記録再生可能状態において記録再生位置に配される。
【００９１】
着脱可能状態におけるディスクドライブ装置の各部の状態は、図１ないし図４、図２０および図２３（ａ）（ｂ）に示すものとなる。
【００９２】
着脱可能状態において、図１および図２に示すように、解除レバー１２は、ばね１４に付勢され、ホルダー７の案内凸部７ｕにて規制される位置まで、最もＧ方向に回動している。また、ホルダー７は、ローディングＬばね１０により直接Ａ方向に付勢され、かつローディングＲばね１１によりシャッター開閉レバー８を介してＡ方向に付勢されている。したがって、解除レバー１２の円弧縁１２ｆがメインシャーシ１の係合部５ａにおける前面に当接し、ホルダー７と解除レバー１２とがＡ−Ｂ方向に位置決めされる。即ち、ホルダー７は着脱位置に配される。
【００９３】
ホルダー７は、着脱位置にあるとき、ホルダー７の底壁部７ａの上面が、メインシャーシ１の４個の上方凸部２ｆ、２ｇ、２ｈ、２ｉの上端と同一位置かこれらよりも若干上方（Ｅ方向）に位置するようになっている。
【００９４】
このとき、位置決めＦブロック１５は、図２３（ａ）に示すように、位置決めＦブロック１５の水平部１５ｂの上面にホルダー７の摺接部７ｊの下端部が係合し、ばね１７の付勢力に抗して下方（Ｆ方向）に押し下げられている。したがって、位置決めピン部１５ａの先端部１５ａ2 は、メインシャーシ１の上方凸部２ｈの上端面より下方（Ｆ方向）に退行している。
【００９５】
同様に、位置決めＲブロック１６は、図２３（ｂ）に示すように、位置決めＲブロック１６の水平部１６ｂの上面にホルダー７の摺接部７ｋの下端部が係合し、ばね１７の付勢力に抗して下方（Ｆ方向）に押し下げられている。したがって、位置決めピン部１６ａの先端部１６ａ2 は、メインシャーシ１の上方凸部２ｉの上端面より下方（Ｆ方向）に退行している。
【００９６】
また、モータベース部材２２は、図２０に示すように、その前水平部２２ａの上面にホルダー７の摺接部７ｈの下端部が係合するとともに、後水平部２２ｅの上面にホルダー７の摺接部７ｉの下端部が係合し、ばね２３の付勢力に抗して下方（Ｆ方向）に押し下げられている。したがって、スピンドルモータ２１のターンテーブル２１ａは、ホルダー７の底壁部７ａの上面以下（Ｆ方向）に退行している。
【００９７】
これにより、着脱可能状態においては、操作者がカートリッジ収納ディスク５０をホルダー７の開口部７ｆからＡ方向に挿入した場合に、カートリッジ収納ディスク５０が位置決めピン部１５ａ・１６ａおよびターンテーブル２１ａと接触することがなく、ホルダー７内へのカートリッジ収納ディスク５０の装着が可能となる。
【００９８】
上記の着脱可能状態において、操作者がカートリッジ収納ディスク５０をホルダー７の開口部７ｆからＡ方向に挿入すると、ディスクドライブ装置は、中継状態を経て、記録再生可能状態に移行する。中継状態におけるディスクドライブ装置の各部の状態は、図１２ないし図１４、図２１および図２４（ａ）（ｂ）に示すものとなる。
【００９９】
カートリッジ収納ディスク５０の上記挿入動作が行われると、先ず、カートリッジケース５１の挿入側の端面が解除レバー１２の蹴出し部１２ｅに当接する。その後、さらにカートリッジ収納ディスク５０をＡ方向に押し込むと、解除レバー１２がばね１４の付勢力に抗してＨ方向へ回動し、図１２に示すように、円弧縁１２ｆとメインシャーシ１の係合部５ａとの係合が解除される。
【０１００】
また、このカートリッジ収納ディスク５０の押し込み過程においては、図２６（ａ）に示すように、カートリッジ収納ディスク５０の移動に伴って、先ず、シャッター開閉レバー８のシャッター開放部８ｂがカートリッジケース５１のシャッター開放案内溝５１ｄに入り込む。その後、さらにカートリッジ収納ディスク５０が押し込まれると、図２６（ｂ）に示すように、前記シャッター開放部８ｂにカートリッジケース５１のロックレバー５１ｃが当接し、ロックレバー５１ｃがＧ方向に回動する。これにより、ロックレバー５１ｃのロック凹部５１ｃ1 とシャッター５１ｂのロック凸部５１ｂ2 との嵌合が解除され、ロックレバー５１ｃによるシャッター５１ｂのロックが解除される。次に、シャッター５１ｂは、図２６（ｃ）に示すように、シャッター開放部８ｂの先端部によりＡ方向への移動を阻止され、開放される。したがって、カートリッジ収納ディスク５０は、シャッター５１ｂを開放した状態でホルダー７内に装着される。また、シャッター開閉レバー８のシャッター係合部８ｃが、カートリッジケース５１の係合凹部５１ｂ1 に入り込み（図２６（ｂ）参照）、シャッター５１ｂと係合する。
【０１０１】
上記のように、解除レバー１２の円弧縁１２ｆとメインシャーシ１の係合部５ａとの係合が解除されると、ホルダー７および解除レバー１２は、Ａ方向への規制が解除され、ローディングＬばね１０およびローディングＲばね１１に付勢されてＡ方向へ移動する。このとき、シャッター開閉レバー８は、その長孔８ａの端部にホルダー７の案内軸７ｐが係合していることにより、ホルダー７と一体的にＡ方向に移動する。また、カートリッジ収納ディスク５０も、カートリッジケース５１とホルダー７との間の摩擦力によりホルダー７に保持された状態で、ホルダー７と一体的にＡ方向に移動する。
【０１０２】
また、解除レバー１２の円弧縁１２ｆとメインシャーシ１の係合部５ａとの係合が解除される過程において、解除レバー１２と係合部５ａとの係合関係は、解除レバー１２のＨ方向への回動およびＡ方向への移動により、円弧縁１２ｆと係合部５ａの前面が係合している状態から、傾斜縁１２ｈと係止縁５ａ1 とが係合する状態を経て、直線縁１２ｇと係止縁５ａ1 とが係合する状態へと移行する。この最後の状態においては、直線縁１２ｇと係止縁５ａ1 との係合により、Ｇ方向への解除レバー１２の回動が規制される。
【０１０３】
Ａ方向へのシャッター開閉レバー８の移動は、中継状態において、図１２に示すように、メインシャーシ１の右側壁部４の係止部４ｄにシャッター開閉レバー８のばね係合部８ｄが係合することにより、阻止される。
【０１０４】
この時、図２４（ａ）に示すように、ホルダー７の摺接部７ｊの下端部は、位置決めＦブロック１５の水平部１５ｂの上面と摺接しており、位置決めピン部１５ａの先端部１５ａ2 はメインシャーシ１の上方凸部２ｈの上端面より下方（Ｆ方向）に退行した状態のまま保持されている。同様に、図２３（ｂ）に示すように、ホルダー７の摺接部７ｋの下端部は、位置決めＲブロック１６の水平部１６ｂの上面と摺接しており、位置決めピン部１６ａの先端部１６ａ2 はメインシャーシ１の上方凸部２ｉの上端面より下方（Ｆ方向）に退行した状態のまま保持されている。
【０１０５】
また、モータベース部材２２は、図２１に示すように、その前水平部２２ａの上面にホルダー７の摺接部７ｈの下端部が摺接し、後水平部２２ｅの上面にホルダー７の摺接部７ｉの下端部が摺接しており、スピンドルモータ２１のターンテーブル２１ａは、ホルダー７の底壁部７ａの上面以下（Ｆ方向）に退行した状態のまま保持されている。
【０１０６】
ホルダー７はカートリッジ収納ディスク５０を保持しながら、ローディングＬばね１０の付勢力により上記の中継状態の位置（中継位置）からさらにＡ方向に移動する。このとき、シャッター開閉レバー８は、前述のように、ばね係合部８ｄがメインシャーシ１の係止部４ｄと当接し、Ａ方向への移動が阻止されている。したがって、ホルダー７の移動に伴い、その案内軸７ｐがシャッター開閉レバー８の長孔８ａ内をＡ方向に移動する。また、解除レバー１２もホルダー７の移動に伴って移動する。
【０１０７】
この移動直後において、カートリッジ収納ディスク５０は、カートリッジケース５１のＡ方向側の端部がメインシャーシ１の後壁部５における２個の位置規制面５ｃ・５ｃと当接し、Ａ方向への移動を停止する。このとき、メインシャーシ１の位置規制面５ｃ・５ｃの位置は、カートリッジケース５１の位置決め凹部５１ｅ・５１ｆへの位置決めＦブロック１５および位置決めＲブロック１６の位置決めピン部１５ａ・１６ａの挿入を良好に行い得るように設定されている。
【０１０８】
これら位置決めピン部１５ａ・１６ａによるカートリッジケース５１の位置決め後には、カートリッジケース５１とシャッター開閉レバー８との位置関係が変化しない。したがって、カートリッジケース５１は、シャッター開閉レバー８のシャッター開放部８ｂの先端部によりＡ方向へのシャッター５１ｂの移動が規制され、シャッター５１ｂが開放された状態で保持される。
【０１０９】
また、前記の中継位置からホルダー７がＡ方向に移動した直後において、ホルダー７の摺接部７ｊの下端部は、位置決めＦブロック１５の水平部１５ｂの上面を経て傾斜面１５ｆと摺接する。したがって、位置決めＦブロック１５はばね１７の付勢力により上方（Ｅ方向）へ移動する。その後、ホルダー７がさらにＡ方向へ移動すると、最終的には、図２５（ａ）に示すように、位置決めＦブロック１５の水平部１５ｂとメインシャーシ１の裏面とが当接し、これにより位置決めＦブロック１５、即ち位置決めピン部１５ａのＥ方向の位置決めがなされる。また、位置決めピン部１５ａのＡ−ＢおよびＣ−Ｄ方向の位置決めは、メインシャーシ１の２本の軸２ｊ1 ・２ｊ2 が位置決めＦブロック１５の軸挿入孔１５ｄ・１５ｅに挿入され、位置決めピン部１５ａが上記上方凸部２ｈのピン進退孔２ｈ1 に挿入されることにより、適正に行われる。このとき、位置決めＦブロック１５の位置決めピン部１５ａは、メインシャーシ１における上方凸部２ｈの上端部から突出する。
【０１１０】
その後、ホルダー７の摺接部７ｊは、Ａ方向へのさらなるホルダー７の移動により、位置決めＦブロック１５と離間していく。
【０１１１】
同様に、前記の中継位置からホルダー７がＡ方向に移動した直後において、ホルダー７の摺接部７ｋの下端部は、位置決めＲブロック１６の水平部１６ｂの上面を経て傾斜面１６ｆと摺接する。したがって、位置決めＲブロック１６はばね１７の付勢力により上方（Ｅ方向）へ移動する。その後、ホルダー７がさらにＡ方向へ移動すると、最終的には、図２５（ｂ）に示すように、位置決めＲブロック１６の水平部１６ｂとメインシャーシ１の裏面とが当接し、これにより位置決めＲブロック１６、即ち位置決めピン部１６ａのＥ方向の位置決めがなされる。また、位置決めピン部１６ａのＡ−ＢおよびＣ−Ｄ方向の位置決めは、メインシャーシ１の２本の軸２ｋ1 ・２ｋ2 が位置決めＲブロック１６の軸挿入孔１６ｄ・１６ｅに挿入され、位置決めピン部１６ａが上記上方凸部２ｉのピン進退孔２ｉ1 に挿入されることにより、適正に行われる。このとき、位置決めＲブロック１６の位置決めピン部１６ａは、メインシャーシ１における上方凸部２ｉの上端部から突出する。
【０１１２】
その後、ホルダー７の摺接部７ｋは、Ａ方向へのさらなるホルダー７の移動により、位置決めＲブロック１６と離間していく。
【０１１３】
一方、モータ昇降機構１８において、ホルダー７の摺接部７ｈの下端部は、モータベース部材２２の前水平部２２ａの上面を経て前傾斜部２２ｃと摺接する。同様に、ホルダー７の摺接部７ｉの下端部は、モータベース部材２２の後水平部２２ｅの上面を経て後傾斜部２２ｆと摺接する。したがって、モータベース部材２２はばね２３の付勢力により上方（Ｅ方向）へ移動する。ホルダー７がさらにＡ方向へ移動すると、最終的には、図２２に示すように、モータベース部材２２の前水平部２２ａ・２２ｂおよび後水平部２２ｅがメインシャーシ１の裏面と当接する。これにより、モータベース部材２２、即ちスピンドルモータ２１のＥ方向の位置決めがなされる。また、スピンドルモータ２１のＡ−ＢおよびＣ−Ｄ方向の位置決めは、メインシャーシ１の３本の軸２ｅがモータベース部材２２の軸挿入孔２２ｇ・２２ｈ・２２ｉに挿入されていることにより適正に行われる。このとき、ターンテーブル２１ａは、ホルダー７の開口部７ｇを通じて、メインシャーシ１の底壁部２から突出する。
【０１１４】
その後、ホルダー７の摺接部７ｈ・７ｉは、Ａ方向へのさらなるホルダー７の移動により、モータベース部材２２の前傾斜部２２ｃおよび後傾斜部２２ｆと離間していく。
【０１１５】
前述した中継位置からＡ方向へのホルダー７の移動時において、ホルダー７の摺接部７ｈ・７ｉ・７ｊ・７ｋには、それぞれモータベース部材２２の付勢用のばね２３・２３、位置決めＦブロック１５の付勢用のばね１７、および位置決めＲブロック１６の付勢用のばね１７の付勢力が、モータベース部材２２の前傾斜部２２ｃと後傾斜部２２ｆ、位置決めＦブロック１５の傾斜面１５ｆ、位置決めＲブロック１６の傾斜面１６ｆを介して、Ｅ方向だけでなくＡ方向にも作用する。したがって、ホルダー７をＡ方向に付勢する力は、上記移動の間において、着脱位置から中継位置に至る間より小さいものでよい。
【０１１６】
位置決めＦブロック１５、位置決めＲブロック１６、およびスピンドルモータ２１のＥ方向への移動完了後において、さらにＡ方向に付勢されるホルダー７は、ホルダー７の案内軸７ｎ・７ｐがそれぞれメインシャーシ１の案内孔３ａ・４ａの下方傾斜部３ａ2 ・４ａ2 に案内され、下方傾斜部３ａ2 ・４ａ2 に沿った方向、即ち後ろ（Ａ方向）斜め下方（Ｆ方向）へシャッター開閉レバー８と共に移動する。このときのホルダー７の下（Ｆ）方向成分の移動により、ホルダー７の左上壁部７ｃおよび右上壁部７ｅの下方凸部７ｔがカートリッジケース５１をＦ方向へ押圧する。これにより、カートリッジケース５１は、メインシャーシ１の底壁部２における上方凸部２ｆ・２ｇ・２ｈ・２ｉに圧接され、メインシャーシ１上においてＥ−Ｆ方向に位置決めされる。これにより、ホルダー７および解除レバー１２のＡおよびＦ方向への移動が完了し、ホルダー７は記録再生位置に配される。
【０１１７】
このとき、カートリッジケース５１は、図２５（ａ）（ｂ）に示すように、その位置決め凹部５１ｅ・５１ｆにそれぞれ位置決めＦブロック１５および位置決めＲブロック１６の位置決めピン部１５ａ・１６ａが嵌入されることにより、Ｃ−ＤおよびＥ−Ｆ方向に位置決めされる。
【０１１８】
また、スピンドルモータ２１のＥ方向への移動が完了するまでの間において、ディスク５２はターンテーブル２１ａが備える図示しない磁石によりターンテーブル２１ａにチャッキングされる。これにより、スピンドルモータ２１によるディスク５２の回転が可能となり、ピックアップ１９によりディスク５２に対して情報の記録または再生が可能な記録再生可能状態となる。この記録再生可能状態におけるディスクドライブ装置の各部の状態は、図１５ないし図１９、図２２および図２５（ａ）（ｂ）に示すものとなる。
【０１１９】
次に、ディスクドライブ装置からのカートリッジ収納ディスク５０の排出動作について説明する。
【０１２０】
この排出動作は、ホルダー７の右側壁部７ｄの排出操作部７ｒを操作者あるいは別に設けた排出駆動手段（図示せず）等によって前方（Ｂ方向）へ移動させること、即ちホルダー７をＢ方向へ移動させることによって行われ、カートリッジ収納ディスク５０の装着動作に対してほぼ逆向きの動作となる。
【０１２１】
記録再生位置からローディングＬばね１０のＡ方向への付勢力に抗してホルダー７をＢ方向に移動させると、ホルダー７と一体の解除レバー１２もＢ方向に移動する。
【０１２２】
モータ昇降機構１８において、図２２に示す状態からホルダー７がＢ方向に移動すると、ホルダー７の摺接部７ｉの下端部がモータベース部材２２の後傾斜部２２ｆと当接し、後傾斜部２２ｆ上をＢ−Ｅ方向へ摺動する。また、これに若干遅れて、ホルダー７の摺接部７ｈの下端部がモータベース部材２２の前傾斜部２２ｃと当接し、前傾斜部２２ｃ上をＢ−Ｅ方向へ摺動する。これにより、モータベース部材２２すなわちスピンドルモータ２１はばね２３の付勢力に抗してＦ方向に押し下げられる。
【０１２３】
ここで、このようなモータベース部材２２とホルダー７との係合関係について以下に詳細に説明する。
【０１２４】
図２２に示すように、ローディング完了位置である記録再生位置において、ホルダー７の摺接部７ｈの下端部とモータベース部材２２の前傾斜部２２ｃとの距離Ｌｎと、ホルダー７の摺接部７ｉの下端部とモータベース部材２２の後傾斜部２２ｆとの距離Ｌｏとが異なるように設定されている。したがって、摺接部７ｈの下端部が前傾斜部２２ｃに当接する時点と摺接部７ｉの下端部が後傾斜部２２ｆに当接する時点とが異なり、スピンドルモータ２１は若干傾きながらＦ方向への移動を開始することになる。一方、ターンテーブル２１ａは磁石の吸着力によりカートリッジケース５１内のディスク５２をチャッキングしている。したがって、上記のスピンドルモータ２１の移動により、ターンテーブル２１ａによるディスク５２のチャッキングが解除される。
【０１２５】
ここで、一般に、磁石に吸着された鉄板を磁石から取り外す際には、これら両者の吸着面の一方に対して他方が傾くように解除力を加えると、解除力が少なくて済む。従って、前記のようにスピンドルモータ２１を傾けてＦ方向に押し下げることにより、チャッキング解除のための力が小さくて済むことになる。
【０１２６】
その後、ホルダー７の排出操作部７ｒをさらにＢ方向へ移動させ、ホルダー７が図１２〜図１４に示す中継位置に達したときには、図２１に示すように、ホルダー７の摺接部７ｈ・７ｉの下端部は、それぞれモータベース部材２２の前水平部２２ａ、後水平部２２ｅの上面に移動する。これにより、ターンテーブル２１ａは、ホルダー７における底壁部７ａの上面から退行する。
【０１２７】
また、上記モータ昇降機構１８においては、ターンテーブル２１ａの中心位置からモータベース部材２２の後傾斜部２２ｆとホルダー７の摺接部７ｉの下端部との当接開始位置（荷重点）までの距離を第１距離とし、ターンテーブル２１ａの中心位置からモータベース部材２２の前傾斜部２２ｃとホルダー７の摺接部７ｈの下端部との当接開始位置（荷重点）までの距離を第２距離とすると、第１距離が第２距離よりも長くなっている。したがって、ターンテーブル２１ａの中心位置から荷重点までの距離が長い第１距離を有する後部（Ａ）側の方が第２距離を有する前部（Ｂ）側よりも小さい力で大きなモーメントを得ることができる。そして、第１距離を有する後部（Ａ）側は前部（Ｂ）側よりも先に上記解除力を作用させるようになっているため、上記チャッキング解除に必要な力を小さくすることができる。
【０１２８】
また、上記モータ昇降機構１８でのスピンドルモータ２１の押し下げ動作とほぼ同時に、位置決めＦブロック１５は、Ｂ方向へのホルダー７の移動により、その摺接部７ｊの下端部が図２５（ａ）に示す状態から位置決めＦブロック１５の傾斜面１５ｆと当接し、傾斜面１５ｆ上を摺動することにより、ばね１７の付勢力に抗してＦ方向に押し下げられる。同様に、位置決めＲブロック１６は、Ｂ方向へのホルダー７の移動により、その摺接部７ｋの下端部が図２５（ｂ）に示す状態から位置決めＲブロック１６の傾斜面１６ｆと当接し、傾斜面１６ｆ上を摺動することにより、ばね１７の付勢力に抗してＦ方向に押し下げられる。
【０１２９】
その後、ホルダー７の排出操作部７ｒをさらにＢ方向へ移動させ、ホルダー７が中継位置に達したときには、ホルダー７の摺接部７ｊの下端部は、図２４（ａ）に示すように、位置決めＦブロック１５の水平部１５ｂの上面へと移動する。同様に、ホルダー７の摺接部７ｋの下端部は、図２４（ｂ）に示すように、位置決めＲブロック１６の水平部１６ｂの上面へと移動する。これにより、位置決めＦブロック１５および位置決めＲブロック１６がさらにＦ方向へ押し下げられ、位置決めＦブロック１５の位置決めピン部１５ａおよび位置決めＲブロック１６の位置決めピン部１６ａは、それぞれカートリッジケース５１の位置決め凹部５１ｅ・５１ｆから抜脱され、メインシャーシ１の上方凸部２ｈ・２ｉの上端面以下の位置へ退行する。
【０１３０】
次に、上記の中継位置からホルダー７の排出操作部７ｒをさらにＢ方向へ移動させると、その直後にホルダー７の案内軸７ｐがシャッター開閉レバー８の長孔８ａの端部と係合し、シャッター開閉レバー８はホルダー７と一体的にＢ方向へ移動する。同時に、解除レバー１２の蹴出し部１２ｅがカートリッジケース５１の後端に当接し、カートリッジ収納ディスク５０もホルダー７と一体的にＢ方向へ移動する。
【０１３１】
その後、ホルダー７をさらにＢ方向へ移動させ、ホルダー７が着脱位置に達すると、解除レバー１２の直線縁１２ｇとメインシャーシ１の係合部５ａの係止縁５ａ1 との係合が解除され、解除レバー１２がばね１４の付勢力によりＧ方向へ回動する。これにより、解除レバー１２の蹴出し部１２ｅがカートリッジ収納ディスク５０のＡ方向側の端面に衝突し、カートリッジ収納ディスク５０がディスクドライブ装置から突出した状態に蹴り出される。
【０１３２】
このとき、カートリッジケース５１のシャッター５１ｂは、シャッター開閉レバー８のシャッター係合部８ｃがシャッター５１ｂの係合凹部５１ｂ1 に嵌合されているため、Ｂ方向への移動を阻止される。したがって、操作者がカートリッジ収納ディスク５０を装置外に取り出す際には、シャッター５１ｂが完全に閉じてロックレバー５１ｃによりロックされた状態となる。
【０１３３】
また、解除レバー１２は、その傾斜縁１２ｈがメインシャーシ１の係合部５ａの前面と係合する。これにより、ディスクドライブ装置は着脱可能状態となり、ホルダー７は記録再生位置に配される。したがって、ホルダー７、解除レバー１２、およびシャッター開閉レバー８は、ローディングＬばね１０およびローディングＲばね１１によるＡ方向への付勢力による移動が阻止された状態となる。
【０１３４】
【発明の効果】
以上のように、本発明の第１ディスクドライブ装置は、記録媒体であるディスクと係合してディスクを回転させるディスク回転手段と、前記ディスク回転手段を支持し、前記ディスク回転手段をディスクの移動経路に進出させ、ディスクと係合させる係合方向、および前記ディスク回転手段をディスクの移動経路から退行させ、ディスクとの係合を解除させる係合解除方向へ移動可能な回転手段支持部材と、前記ディスクを保持可能であるとともに、装置内方および装置外方へ進退移動可能であり、前記回転手段支持部材との係合動作により、装置内方へ移動する際に前記回転手段支持部材を前記係合方向へ移動させる一方、装置外方へ移動する際に前記回転手段支持部材を前記係合解除方向へ移動させるディスク保持手段とを備えている構成である。
【０１３５】
したがって、ディスク回転手段をディスクの移動経路に対して進退移動させることにより、ディスクに対してディスク回転手段を係合させた状態、即ちディスクを回転可能な状態と、ディスクに対するディスク回転手段の係合を解除した状態とを得ることができる。これにより、ディスクを装置の内方および外方へ進退移動、例えば水平移動させ、かつディスクをディスク回転手段方向に進退移動、例えば垂直移動させる場合と比較して、ディスクとディスク回転手段とを係脱動作するための駆動機構の体積を縮小し、装置の薄型化を図ることができる。
【０１３６】
また、上記ディスク回転手段の係合方向および係合解除方向への移動を、ディスク回転手段を支持する回転手段支持部材とディスク保持手段との係合動作により行っているので、ディスク回転手段を上記のように移動させる駆動源、例えばモータが不要となり、装置のコストダウンを図ることができるという効果を奏する。
【０１３７】
本発明の第２ディスクドライブ装置は、第１ディスクドライブ装置において、前記回転手段支持部材に、前記ディスク保持手段の前記進退移動方向に平行な平坦面と、この平坦面と連続し、斜め前記係合解除方向へ傾斜する傾斜面とが前記ディスク保持手段の進退移動方向に並んで形成され、前記ディスク保持手段が、前記回転手段支持部材を前記係合方向へ付勢する付勢手段と、前記ディスクを保持可能であり、前記進退移動の際に前記回転手段支持部材の平坦面および傾斜面と摺接する摺接部を有するディスク保持部材とを備え、前記ディスク保持部材が装置内方へ移動する際に前記摺接部が前記平坦面、前記傾斜面の順序で摺接する一方、前記ディスク保持部材が装置外方へ移動する際に前記摺接部が前記傾斜面、前記平坦面の順序で摺接し、前記ディスク保持部材が装置内方へ移動する際には、前記摺接部が前記傾斜面と摺接することにより、前記回転手段支持部材を前記付勢手段の付勢力により前記係合方向へ移動させ、前記ディスク保持部材が装置外方へ移動する際には、前記摺接部が前記傾斜面と摺接することにより、前記回転手段支持部材を前記付勢手段の付勢力に抗して係合解除方向へ移動させ、前記摺接部が前記平坦面を移動する際には、前記ディスク回転手段をディスクの移動経路外への退避状態に保持するように設定されている構成である。
【０１３８】
これにより、本ディスクドライブ装置は、第１ディスクドライブ装置の効果に加えて、装置内方および外方へ進退移動するディスク保持部材の摺接部と回転手段支持部材の平坦面および傾斜面との係合動作、並びに付勢手段による回転手段支持部材への付勢動作により、ディスクに対してディスク回転手段を係合させた状態と、ディスクに対するディスク回転手段の係合を解除し、かつディスク回転手段をディスクの移動経路から退行させた状態とを得るという簡単な構成となる。したがって、装置の構成を簡略化することができるという効果を奏する。
【０１３９】
本発明の第３ディスクドライブ装置は、第１ディスクドライブ装置において、前記ディスクがディスクケースに収納されており、前記ディスクケースと係合してディスクを位置決めするとともに、ディスクケースの移動経路に進出し、前記ディスクケースと係合するための位置決め動作方向、およびディスクケースの移動経路から退行し、前記ディスクケースとの係合を解除する位置決め動作解除方向へ移動可能な位置決め部材を備え、前記ディスク保持手段が、前記位置決め部材との係合動作により、装置内方へ移動する際に前記位置決め部材を前記位置決め動作方向へ移動させる一方、装置外方へ移動する際に前記位置決め部材を前記位置決め動作解除方向へ移動させる構成である。
【０１４０】
これにより、本ディスクドライブ装置では、第１ディスクドライブ装置の効果に加えて、装置内方および装置外方へのディスク保持手段の進退移動に伴って、ディスク保持手段と位置決め部材との係合動作により、装置内方位置でのディスクケース、即ちディスクの位置決めとその解除とが行われる。したがって、ディスク位置決め用の駆動源、例えばモータが不要となり、さらに装置のコストダウンを図ることができるという効果を奏する。
【０１４１】
本発明の第４ディスクドライブ装置は、第３ディスクドライブ装置において、前記位置決め部材に、前記ディスク保持手段の前記進退移動方向に平行な平坦面と、この平坦面と連続し、斜め前記位置決め動作解除方向へ傾斜する傾斜面とが前記ディスク保持手段の進退移動方向に並んで形成され、前記ディスク保持手段が、前記位置決め部材を前記位置決め動作方向へ付勢する付勢手段と、前記ディスクを保持可能であり、前記進退移動の際に前記位置決め部材の平坦面および傾斜面と摺接する摺接部を有するディスク保持部材とを備え、前記ディスク保持部材が装置内方へ移動する際に前記摺接部が前記平坦面、前記傾斜面の順序で摺接する一方、前記ディスク保持部材が装置外方へ移動する際に前記摺接部が前記傾斜面、前記平坦面の順序で摺接し、前記ディスク保持部材が装置内方へ移動する際には、前記摺接部が前記傾斜面と摺接することにより、前記位置決め部材を前記付勢手段の付勢力により前記位置決め動作方向へ移動させ、前記ディスク保持部材が装置外方へ移動する際には、前記摺接部が前記傾斜面と摺接することにより、前記位置決め部材を前記付勢手段の付勢力に抗して位置決め動作解除方向へ移動させ、前記摺接部が前記平坦面を移動する際には、前記位置決め部材をディスクケースの移動経路外への退避状態に保持するように設定されている構成である。
【０１４２】
これにより、本ディスクドライブ装置は、第３ディスクドライブ装置の効果に加えて、装置内方および外方へ進退移動するディスク保持部材の摺接部と位置決め部材の平坦面および傾斜面との係合動作、並びに付勢手段による位置決め部材への付勢動作により、装置内方においてディスクを位置決めした状態と、この位置決めを解除し、かつ位置決め部材をディスクの移動経路から退行させた状態とを得るという簡単な構成となる。したがって、さらに装置の構成を簡略化することができるという効果を奏する。
【０１４３】
本発明の第５ディスクドライブ装置は、第１または第２ディスクドライブ装置において、基台と、ディスク保持部材付勢手段とを備え、前記ディスクがディスクケースに収納されており、前記ディスク保持手段が、前記ディスクを保持可能であるとともに前記進退移動を行うディスク保持部材を有し、前記基台が、前記ディスク保持部材を前記進退移動可能に支持するとともに、ディスク保持部材に保持されたディスクケースとの対向面に圧接受け部を有し、前記ディスク保持部材付勢手段が、前記ディスク保持部材を装置内方への移動方向に付勢するものであり、前記保持部材と前記基台との何れか一方には第１案内部が形成され、他方には前記第１案内部と係合し、前記ディスク保持部材を装置内方に案内する第２案内部が形成され、前記第２案内部の装置内方側の終端部には、前記ディスク保持部材を前記基台の圧接受け部方向に案内する圧接案内部が形成されている構成である。
【０１４４】
これにより、本ディスクドライブ装置では、第１または第２ディスクドライブ装置の効果に加えて、ディスク保持部材を装置内方に付勢するディスク保持部材付勢手段の付勢力を基台の圧接受け部に作用させ、ディスクケースを基台上に固定することができる。したがって、簡単な構成により、ディスクの回転動作時にディスクケースが基台上の所定位置から浮上してディスクがディスクケース内面と衝突し、記録または再生動作に支障を来す事態、さらにはディスクを損傷する事態を回避することができるという効果を奏する。
【０１４５】
本発明の第６ディスクドライブ装置は、第２または第４ディスクドライブ装置において、基台と、シャッター開閉部材と、このシャッター開閉部材を装置内方へ付勢する開閉部材付勢手段とを備え、前記ディスクがディスクケースに収納され、このディスクケースには内部のディスクを露出させるための窓を開閉するシャッターが設けられ、前記ディスク保持手段が、前記ディスクを保持可能であるとともに前記進退移動を行うディスク保持部材を有し、前記シャッター開閉部材が、前記ディスク保持部材の前記進退移動方向において所定範囲のみ相対的に進退移動可能に前記ディスク保持部材により支持されるとともに、装置内方への前記ディスクケースの移動に伴って前記シャッターと係合してシャッターを開放するためのシャッター開放部を有し、前記基台が、前記ディスク保持部材を前記進退移動可能に支持するとともに、シャッター開閉部材によりシャッターが開放される開放位置にてシャッター開閉部材と係合する係止部を有し、前記開放位置において前記ディスク保持部材の摺接部が前記傾斜面と係合可能であり、前記開放位置よりも装置内方側に、前記ディスク回転手段によるディスクの回転を可能とするローディング完了位置が設けられている構成である。
【０１４６】
これにより、本ディスクドライブ装置では、第２または第４ディスクドライブ装置の効果に加えて、ディスクケースのシャッターの開放動作からローディング完了位置へのディスク保持部材の移動までを円滑に行うことができる。また、ローディング完了位置へディスク保持部材が単独で移動するときには、回転手段支持部材の傾斜面または位置決め部材の傾斜面からの付勢力がディスク保持部材に作用するので、ディスク保持部材をローディング完了位置へ移動させるのに必要な他の操作力を低減することができるという効果を奏する。
【０１４７】
本発明の第７ディスクドライブ装置は、第２ディスクドライブ装置において、前記ディスク保持部材の摺接部と前記回転手段支持部材の平坦面および傾斜面との対が、少なくとも第１の対と第２の対との２対設けられ、装置外方への前記ディスク保持部材の移動に伴い、前記摺接部が前記傾斜面と摺接して前記回転手段支持部材が係合解除方向へ移動を開始する時点が、第１の対の側と第２の対の側とで異なるように設定されている構成である。
【０１４８】
これにより、本ディスクドライブ装置では、第２ディスクドライブ装置の効果に加えて、ディスク回転手段とディスクとが例えば磁力により係合している場合において、ディスクとディスク回転手段との係合解除を小さい力にて行うことができる。
【０１４９】
また、ディスク保持部材の摺接部と回転手段支持部材の平坦面および傾斜面との対が少なくとも２対設けられているので、ディスク回転手段がディスクの移動経路から退行している状態において、回転手段支持部材は少なくとも２点で付勢手段の付勢力に抗して退行方向に押されているので、ディスク回転手段の傾きを抑制することができる。したがって、装置内方へのディスクの移動時において、ディスクとディスク回転手段との接触を回避し、両者の損傷を防止することができるという効果を奏する。
【図面の簡単な説明】
【図１】本発明の実施の一形態におけるディスクドライブ装置の着脱可能状態を示す斜視図である。
【図２】図１に示したディスクドライブ装置の平面図である。
【図３】図１に示したディスクドライブ装置の右側面図である。
【図４】図１に示したディスクドライブ装置の左側面図である。
【図５】図５（ａ）は、図１に示したディスクドライブ装置に使用される記録媒体としてのカートリッジ収納ディスクを示す平面図、図５（ｂ）は同側面図、図５（ｃ）は同底面図である。
【図６】図６（ａ）は図１に示したメインシャーシの左側面図、図６（ｂ）は同平面図、図６（ｃ）は同右側面図である。
【図７】図７（ａ）は図１に示したホルダーにシャッター開閉レバーが設けられた状態を示す左側面図、図７（ｂ）は同平面図、図７（ｃ）は同右側面図である。
【図８】図８（ａ）は図１に示したシャッター開閉レバーの平面図、図８（ｂ）は同右側面図、図８（ｃ）は同斜視図である。
【図９】図９（ａ）は図１に示したディスクドライブ装置が備える位置決めＦブロックを示す平面図、図９（ｂ）は同右側面図、図９（ｃ）は同背面図、図９（ｄ）は同斜視図である。
【図１０】図１０（ａ）は図１に示したディスクドライブ装置が備える位置決めＲブロックを示す平面図、図１０（ｂ）は同右側面図、図１０（ｃ）は同背面図、図１０（ｄ）は同斜視図である。
【図１１】図１１（ａ）は図１に示したディスクドライブ装置が備えるモータベース部材を示す側面図、図１１（ｂ）は同平面図、図１１（ｃ）は同背面図、図１１（ｄ）は同斜視図である。
【図１２】図１に示したディスクドライブ装置の中継状態を示す平面図である。
【図１３】図１２に示したディスクドライブ装置の右側面図である。
【図１４】図１２に示したディスクドライブ装置の左側面図である。
【図１５】図１に示したディスクドライブ装置の記録再生可能状態を示す斜視図である。
【図１６】図１５に示したディスクドライブ装置の平面図である。
【図１７】図１５に示したディスクドライブ装置の右側面図である。
【図１８】図１５に示したディスクドライブ装置の左側面図である。
【図１９】図１５に示したディスクドライブ装置の底面図である。
【図２０】図１に示したディスクドライブ装置の着脱可能状態におけるモータ昇降機構を示す縦断面図である。
【図２１】図１に示したディスクドライブ装置の中継状態におけるモータ昇降機構を示す縦断面図である。
【図２２】図１に示したディスクドライブ装置の記録再生可能状態におけるモータ昇降機構を示す縦断面図である。
【図２３】図２３（ａ）は図１に示したディスクドライブ装置の着脱可能状態における位置決めＦブロックの状態を示す縦断面図、図２３（ｂ）は同状態における位置決めＲブロックの状態を示す縦断面図である。
【図２４】図２４（ａ）は図１に示したディスクドライブ装置の中継状態における位置決めＦブロックの状態を示す縦断面図、図２４（ｂ）は同状態における位置決めＲブロックの状態を示す縦断面図である。
【図２５】図２５（ａ）は図１に示したディスクドライブ装置の記録再生可能状態における位置決めＦブロックの状態を示す縦断面図、図２５（ａ）は同状態における位置決めＲブロックの状態を示す縦断面図である。
【図２６】図２６（ａ）は図１に示したディスクドライブ装置のシャッター開閉レバーがシャッターのシャッター開放案内溝に挿入された状態を示す説明図、図２６（ｂ）はシャッター開閉レバーがシャッターのロックレバーと係合した状態を示す説明図、図２６（ｃ）はシャッター開閉レバーがシャッターを開放している状態を示す説明
図である。
【図２７】従来のディスクドライブ装置の記録再生可能状態を示す縦断面図である。
【図２８】図２７に示したディスクドライブ装置の着脱可能状態を示す縦断面図である。
【符号の説明】
１    メインシャーシ（基台）
２    底壁部
２ｆ  上方凸部（圧接受け部）
２ｇ  上方凸部（圧接受け部）
２ｈ  上方凸部（圧接受け部）
２ｉ  上方凸部（圧接受け部）
３    左側壁部
４    右側壁部
４ａ  案内孔（第２案内部）
４ａ2 下方傾斜部（圧接案内部）
４ｄ  係止部
５    後壁部
７    ホルダー（ディスク保持手段、ディスク保持部材）
７ｐ  案内軸（第１案内部）
８    シャッター開閉レバー（シャッター開閉部材）
８ｂ  シャッター開放部
１０    ローディングＬばね
１１    ローディングＲばね（開閉部材付勢手段）
１２    解除レバー
１４    ばね
１５    位置決めＦブロック（位置決め部材）
１５ａ  位置決めピン部
１５ｂ  水平部
１５ｆ  傾斜面
１６    位置決めＲブロック（位置決め部材）
１６ａ  位置決めピン部
１６ｂ  水平部
１６ｆ  傾斜面
１７    ばね（付勢手段）
１８    モータ昇降機構
２０    ピックアップ移動部
２１    スピンドルモータ（ディスク回転手段）
２１ａ  ターンテーブル（ディスク回転手段）
２２    モータベース部材（回転手段支持部材）
２２ａ  前水平部
２２ｃ  前傾斜部
２２ｄ  モータ保持部
２２ｅ  後水平部
２２ｆ  後傾斜部
２３    ばね（ディスク保持手段、付勢手段）
５０    カートリッジ収納ディスク
５１    カートリッジケース（ディスクケース）
５１ａ  窓
５１ｂ  シャッター
５１ｃ  ロックレバー
５１ｄ  シャッター開放案内溝
５１ｅ  位置決め凹部
５１ｆ  位置決め凹部
５２    ディスク
【図１】
0003607092.tif 000002
【図２】
0003607092.tif 000003
【図３】
0003607092.tif 000004
【図４】
0003607092.tif 000005
【図５】
0003607092.tif 000006
【図６】
0003607092.tif 000007
【図７】
0003607092.tif 000008
【図８】
0003607092.tif 000009
【図９】
0003607092.tif 000010
【図１０】
0003607092.tif 000011
【図１１】
0003607092.tif 000012
【図１２】
0003607092.tif 000013
【図１３】
0003607092.tif 000014
【図１４】
0003607092.tif 000015
【図１５】
0003607092.tif 000016
【図１６】
0003607092.tif 000017
【図１７】
0003607092.tif 000018
【図１８】
0003607092.tif 000019
【図１９】
0003607092.tif 000020
【図２０】
0003607092.tif 000021
【図２１】
0003607092.tif 000022
【図２２】
0003607092.tif 000023
【図２３】
0003607092.tif 000024
【図２４】
0003607092.tif 000025
【図２５】
0003607092.tif 000026
【図２６】
0003607092.tif 000027
【図２７】
0003607092.tif 000028
【図２８】
0003607092.tif 000029